(57)【要約】  アクセスポイント間で通信するためのインターフェースを確立することを可能にする方法および装置を提供する。アクセスポイントが同じローカルネットワークまたはエンタープライズネットワーク中で動作する場合、ワイヤレス事業者ネットワークの代わりに（またはそれに加えて）ローカルネットワークまたはエンタープライズネットワークを介してインターフェースを確立することができる。ソースアクセスポイントは、ターゲットアクセスポイントの識別子に少なくとも部分的に基づいてインターフェースの確立を要求するためのアドレスを決定することができる。別の例では、ターゲットアクセスポイントは、ソースアクセスポイントの識別子に少なくとも部分的に基づいてインターフェースを確立するための、ソースアクセスポイントに提供すべきアドレスを決定することができる。
2013527700.tif 000002
【特許請求の範囲】
【請求項１】
ターゲットアクセスポイントが制限付きアクセスポイントであると決定することに少なくとも部分的に基づいて、識別子を含む前記ターゲットアクセスポイントのアドレスについての要求を生成することと、
前記ターゲットアクセスポイントに前記要求を送信することと
を備える、ワイヤレス通信のための方法。
【請求項２】
前記識別子が限定加入者グループ（ＣＳＧ）識別子である、請求項１に記載の方法。
【請求項３】
前記ターゲットアクセスポイントからネットワークアドレスを受信することをさらに備える、請求項１に記載の方法。
【請求項４】
前記ネットワークアドレスを前記ターゲットアクセスポイントのローカルネットワークアドレスとして示す、前記ネットワークアドレスのラベルを受信することをさらに備える、請求項３に記載の方法。
【請求項５】
前記ネットワークアドレスに少なくとも部分的に基づいて前記ターゲットアクセスポイントとのインターフェースを確立することをさらに備える、請求項３に記載の方法。
【請求項６】
ターゲットアクセスポイントが制限付きアクセスポイントであると決定することに少なくとも部分的に基づいて、識別子を含む前記ターゲットアクセスポイントのアドレスについての要求を生成することと、
前記ターゲットアクセスポイントに前記要求を送信することと
を行うように構成された少なくとも１つのプロセッサと、
前記少なくとも１つのプロセッサに結合されたメモリと
を備える、アクセスポイント情報を要求するための装置。
【請求項７】
前記識別子が限定加入者グループ（ＣＳＧ）識別子である、請求項６に記載の装置。
【請求項８】
前記少なくとも１つのプロセッサが、前記ターゲットアクセスポイントからネットワークアドレスを受信するようにさらに構成された、請求項６に記載の装置。
【請求項９】
前記少なくとも１つのプロセッサが、前記ネットワークアドレスを前記ターゲットアクセスポイントのローカルネットワークアドレスとして示す、前記ネットワークアドレスのラベルを受信するようにさらに構成された、請求項８に記載の装置。
【請求項１０】
前記少なくとも１つのプロセッサが、前記ネットワークアドレスに少なくとも部分的に基づいて前記ターゲットアクセスポイントとのインターフェースを確立するようにさらに構成された、請求項８に記載の装置。
【請求項１１】
ターゲットアクセスポイントが制限付きアクセスポイントであると決定することに少なくとも部分的に基づいて、識別子を含む前記ターゲットアクセスポイントのアドレスについての要求を送信するための手段と、
前記ターゲットアクセスポイントのネットワークアドレスを受信するための手段と
を備える、アクセスポイント情報を要求するための装置。
【請求項１２】
前記識別子が限定加入者グループ（ＣＳＧ）識別子である、請求項１１に記載の装置。
【請求項１３】
受信するための前記手段は、前記ネットワークアドレスが前記ターゲットアクセスポイントのローカルネットワークアドレスであることを指定する、前記ネットワークアドレスのラベルをさらに受信する、請求項１１に記載の装置。
【請求項１４】
前記ネットワークアドレスに少なくとも部分的に基づいて前記ターゲットアクセスポイントとのインターフェースを確立するための手段をさらに備える、請求項１１に記載の装置。
【請求項１５】
少なくとも１つのコンピュータに、ターゲットアクセスポイントが制限付きアクセスポイントであると決定することに少なくとも部分的に基づいて、識別子を含む前記ターゲットアクセスポイントのアドレスについての要求を生成させるためのコードと、
前記少なくとも１つのコンピュータに、前記ターゲットアクセスポイントに前記要求を送信させるためのコードと
を備える、コンピュータ可読媒体
を備える、アクセスポイント情報を要求するためのコンピュータプログラム製品。
【請求項１６】
前記識別子が限定加入者グループ（ＣＳＧ）識別子である、請求項１５に記載のコンピュータプログラム製品。
【請求項１７】
前記コンピュータ可読媒体が、前記少なくとも１つのコンピュータに、前記ターゲットアクセスポイントからネットワークアドレスを受信させるためのコードをさらに備える、請求項１５に記載のコンピュータプログラム製品。
【請求項１８】
前記コンピュータ可読媒体が、前記少なくとも１つのコンピュータに、前記ネットワークアドレスを前記ターゲットアクセスポイントのローカルネットワークアドレスとして示す、前記ネットワークアドレスのラベルを受信させるためのコードをさらに備える、請求項１７に記載のコンピュータプログラム製品。
【請求項１９】
前記コンピュータ可読媒体が、前記少なくとも１つのコンピュータに、前記ネットワークアドレスに少なくとも部分的に基づいて前記ターゲットアクセスポイントとのインターフェースを確立させるためのコードをさらに備える、請求項１７に記載のコンピュータプログラム製品。
【請求項２０】
ターゲットアクセスポイントが制限付きアクセスポイントであると決定することに少なくとも部分的に基づいて、識別子を含む前記ターゲットアクセスポイントのアドレスについての要求を送信するためのアドレス要求構成要素と、
前記ターゲットアクセスポイントのネットワークアドレスを取得するためのアドレス受信構成要素と
を備える、アクセスポイント情報を要求するための装置。
【請求項２１】
前記識別子が限定加入者グループ（ＣＳＧ）識別子である、請求項２０に記載の装置。
【請求項２２】
前記アドレス受信構成要素は、前記ネットワークアドレスが前記ターゲットアクセスポイントのローカルネットワークアドレスであることを指定する、前記ネットワークアドレスのラベルをさらに取得する、請求項２０に記載の装置。
【請求項２３】
前記ネットワークアドレスに少なくとも部分的に基づいて前記ターゲットアクセスポイントとのインターフェースを確立するためのインターフェース確立構成要素をさらに備える、請求項２０に記載の装置。
【請求項２４】
ソースアクセスポイントから、識別子を含むアドレスについての要求を受信することと、
前記識別子に少なくとも部分的に基づいて、前記ソースアクセスポイントに提供すべき複数の割り当てられたアドレスのうちの少なくとも１つを決定することと、
前記複数の割り当てられたアドレスのうちの前記少なくとも１つを前記ソースアクセスポイントに送信することと
を備える、ワイヤレス通信のための方法。
【請求項２５】
前記複数の割り当てられたアドレスのうちの前記少なくとも１つを前記決定することが、前記ソースアクセスポイントに送信するためのローカルネットワークアドレスを決定することを備え、前記識別子が広告ＣＳＧ識別子に一致する、請求項２４に記載の方法。
【請求項２６】
前記複数の割り当てられたアドレスのうちの前記少なくとも１つを前記決定することが、ワイヤレス事業者ネットワークによって割り当てられた、前記ソースアクセスポイントに送信するためのネットワークアドレスを決定することを備え、前記識別子が広告ＣＳＧ識別子とは異なる、請求項２４に記載の方法。
【請求項２７】
ソースアクセスポイントから、識別子を含むアドレスについての要求を受信することと、
前記識別子に少なくとも部分的に基づいて、前記ソースアクセスポイントに提供すべき複数の割り当てられたアドレスのうちの少なくとも１つを決定することと、
前記複数の割り当てられたアドレスのうちの前記少なくとも１つを前記ソースアクセスポイントに送信することと
を行うように構成された少なくとも１つのプロセッサと、
前記少なくとも１つのプロセッサに結合されたメモリと
を備える、アクセスポイント情報を提供するための装置。
【請求項２８】
前記少なくとも１つのプロセッサが、前記ソースアクセスポイントに提供するためのローカルネットワークアドレスを決定することに少なくとも部分的によって前記複数の割り当てられたアドレスのうちの前記少なくとも１つを決定し、前記識別子が広告ＣＳＧ識別子に一致する、請求項２７に記載の装置。
【請求項２９】
前記少なくとも１つのプロセッサが、ワイヤレス事業者ネットワークによって割り当てられた、前記ソースアクセスポイントに提供するためのネットワークアドレスを決定することに少なくとも部分的によって前記複数の割り当てられたアドレスのうちの前記少なくとも１つを決定し、前記識別子が広告ＣＳＧ識別子とは異なる、請求項２７に記載の装置。
【請求項３０】
ソースアクセスポイントから、識別子を含むアドレスについての要求を受信するための手段と、
複数の割り当てられたアドレスのうちの少なくとも１つを前記ソースアクセスポイントに送信するための手段と、なお送信するための前記手段は、前記識別子に少なくとも部分的に基づいて前記複数の割り当てられたアドレスのうちの前記少なくとも１つを決定し、
を備える、アクセスポイント情報を提供するための装置。
【請求項３１】
送信するための前記手段が、ローカルネットワークアドレスとなるべき、前記複数の割り当てられたアドレスのうちの前記少なくとも１つを決定し、前記識別子が広告ＣＳＧ識別子に一致する、請求項３０に記載の装置。
【請求項３２】
送信するための前記手段が、ワイヤレス事業者ネットワークアドレスとなるべき、前記複数の割り当てられたアドレスのうちの前記少なくとも１つを決定し、前記識別子が広告ＣＳＧ識別子に一致しない、請求項３０に記載の装置。
【請求項３３】
少なくとも１つのコンピュータに、ソースアクセスポイントから、識別子を含むアドレスについての要求を受信させるためのコードと、
前記少なくとも１つのコンピュータに、前記識別子に少なくとも部分的に基づいて、前記ソースアクセスポイントに提供すべき複数の割り当てられたアドレスのうちの少なくとも１つを決定させるためのコードと、
前記少なくとも１つのコンピュータに、前記複数の割り当てられたアドレスのうちの前記少なくとも１つを前記ソースアクセスポイントに送信させるためのコードと
を備える、コンピュータ可読媒体
を備える、アクセスポイント情報を提供するためのコンピュータプログラム製品。
【請求項３４】
前記少なくとも１つのコンピュータに決定させるための前記コードが、前記ソースアクセスポイントに提供するためのローカルネットワークアドレスを決定し、前記識別子が広告ＣＳＧ識別子に一致する、請求項３３に記載のコンピュータプログラム製品。
【請求項３５】
前記少なくとも１つのコンピュータに決定させるための前記コードが、ワイヤレス事業者ネットワークによって割り当てられた、前記ソースアクセスポイントに提供するためのネットワークアドレスを決定し、前記識別子が広告ＣＳＧ識別子とは異なる、請求項３３に記載のコンピュータプログラム製品。
【請求項３６】
ソースアクセスポイントから、識別子を含むアドレスについての要求を取得するためのアドレス要求受信構成要素と、
複数の割り当てられたアドレスのうちの少なくとも１つを前記ソースアクセスポイントに送信するためのアドレス提供構成要素であって、前記アドレス提供構成要素が、前記識別子に少なくとも部分的に基づいて前記複数の割り当てられたアドレスのうちの前記少なくとも１つを決定する、アドレス提供構成要素と
を備える、アクセスポイント情報を提供するための装置。
【請求項３７】
前記アドレス提供構成要素が、ローカルネットワークアドレスとなるべき、前記複数の割り当てられたアドレスのうちの前記少なくとも１つを決定し、前記識別子が広告ＣＳＧ識別子に一致する、請求項３６に記載の装置。
【請求項３８】
前記アドレス提供構成要素が、ワイヤレス事業者ネットワークアドレスとなるべき、前記複数の割り当てられたアドレスのうちの前記少なくとも１つを決定し、前記識別子が広告ＣＳＧ識別子に一致しない、請求項３６に記載の装置。
【請求項３９】
ターゲットアクセスポイントから複数のアドレスを受信することと、
受信パラメータに少なくとも部分的に基づいて、前記ターゲットアクセスポイントと通信することに利用すべき前記複数のアドレスのうちの少なくとも１つを決定することと、
前記複数のアドレスのうちの前記少なくとも１つを使用して前記ターゲットアクセスポイントとのインターフェースを確立することと
を備える、ワイヤレス通信のための方法。
【請求項４０】
前記受信パラメータがＣＳＧ識別子であり、前記ＣＳＧ識別子を１つまたは複数のローカルＣＳＧ識別子と比較することをさらに備える、請求項３９に記載の方法。
【請求項４１】
前記複数のアドレスのうちの前記少なくとも１つを前記決定することが、ローカルネットワークアドレスを指定するラベルをもつ前記ターゲットアクセスポイントのアドレスを決定することを備え、前記ＣＳＧ識別子が前記１つまたは複数のローカルＣＳＧ識別子に一致する、請求項４０に記載の方法。
【請求項４２】
前記複数のアドレスのうちの前記少なくとも１つを前記決定することが、ワイヤレス事業者ネットワークアドレスを指定するラベルをもつ前記ターゲットアクセスポイントのアドレスを決定することを備え、前記ＣＳＧ識別子が前記１つまたは複数のローカルＣＳＧ識別子に一致しない、請求項４０に記載の方法。
【請求項４３】
ターゲットアクセスポイントから複数のアドレスを受信することと、
受信パラメータに少なくとも部分的に基づいて、前記ターゲットアクセスポイントと通信することに利用すべき前記複数のアドレスのうちの少なくとも１つを決定することと、
前記複数のアドレスのうちの前記少なくとも１つを使用して前記ターゲットアクセスポイントとのインターフェースを確立することと
を行うように構成された少なくとも１つのプロセッサと、
前記少なくとも１つのプロセッサに結合されたメモリと
を備える、アクセスポイント情報を受信するための装置。
【請求項４４】
前記受信パラメータがＣＳＧ識別子であり、前記少なくとも１つのプロセッサが、前記ＣＳＧ識別子を１つまたは複数のローカルＣＳＧ識別子と比較するようにさらに構成された、請求項４３に記載の装置。
【請求項４５】
前記少なくとも１つのプロセッサが、ローカルネットワークアドレスを指定するラベルを有する前記複数のアドレスのうちの前記少なくとも１つを決定し、前記ＣＳＧ識別子が前記１つまたは複数のローカルＣＳＧ識別子に一致する、請求項４４に記載の装置。
【請求項４６】
前記少なくとも１つのプロセッサが、ワイヤレス事業者ネットワークアドレスを指定するラベルを有する前記複数のアドレスのうちの前記少なくとも１つを決定し、前記ＣＳＧ識別子が前記１つまたは複数のローカルＣＳＧ識別子に一致しない、請求項４４に記載の装置。
【請求項４７】
ターゲットアクセスポイントから複数のアドレスを受信するための手段と、
受信パラメータに少なくとも部分的に基づいて、前記ターゲットアクセスポイントと通信することに利用すべき前記複数のアドレスのうちの少なくとも１つを決定することに少なくとも部分的に基づいて前記ターゲットアクセスポイントとのインターフェースを確立するための手段と
を備える、アクセスポイント情報を受信するための装置。
【請求項４８】
前記受信パラメータがＣＳＧ識別子であり、確立するための前記手段が、前記ＣＳＧ識別子を１つまたは複数のローカルＣＳＧ識別子と比較する、請求項４７に記載の装置。
【請求項４９】
確立するための前記手段が、ローカルネットワークアドレスを指定するラベルを有する前記複数のアドレスのうちの前記少なくとも１つを使用して前記インターフェースを確立し、前記ＣＳＧ識別子が前記１つまたは複数のローカルＣＳＧ識別子に一致する、請求項４８に記載の装置。
【請求項５０】
確立するための前記手段が、ワイヤレス事業者ネットワークアドレスを指定するラベルを有する前記複数のアドレスのうちの前記少なくとも１つを使用して前記インターフェースを確立し、前記ＣＳＧ識別子が前記１つまたは複数のローカルＣＳＧ識別子に一致しない、請求項４８に記載の装置。
【請求項５１】
少なくとも１つのコンピュータに、ターゲットアクセスポイントから複数のアドレスを受信させるためのコードと、
前記少なくとも１つのコンピュータに、受信パラメータに少なくとも部分的に基づいて、前記ターゲットアクセスポイントと通信することに利用すべき前記複数のアドレスのうちの少なくとも１つを決定させるためのコードと、
前記少なくとも１つのコンピュータに、前記複数のアドレスのうちの前記少なくとも１つを使用して前記ターゲットアクセスポイントとのインターフェースを確立させるためのコードと
を備える、コンピュータ可読媒体
を備える、アクセスポイント情報を受信するためのコンピュータプログラム製品。
【請求項５２】
前記受信パラメータがＣＳＧ識別子であり、前記コンピュータ可読媒体が、前記少なくとも１つのコンピュータに、前記ＣＳＧ識別子を１つまたは複数のローカルＣＳＧ識別子と比較させるためのコードをさらに備える、請求項５１に記載のコンピュータプログラム製品。
【請求項５３】
前記少なくとも１つのコンピュータに決定させるための前記コードが、ローカルネットワークアドレスを指定するラベルを有する前記複数のアドレスのうちの前記少なくとも１つを決定し、前記ＣＳＧ識別子が前記１つまたは複数のローカルＣＳＧ識別子に一致する、請求項５２に記載のコンピュータプログラム製品。
【請求項５４】
前記少なくとも１つのコンピュータに決定させるための前記コードが、ワイヤレス事業者ネットワークアドレスを指定するラベルを有する前記複数のアドレスのうちの前記少なくとも１つを決定し、前記ＣＳＧ識別子が前記１つまたは複数のローカルＣＳＧ識別子に一致しない、請求項５２に記載のコンピュータプログラム製品。
【請求項５５】
ターゲットアクセスポイントから複数のアドレスを受信するためのアドレス受信構成要素と、
受信パラメータに少なくとも部分的に基づいて、前記ターゲットアクセスポイントと通信することに利用すべき前記複数のアドレスのうちの少なくとも１つを決定することに少なくとも部分的に基づいて前記ターゲットアクセスポイントとのインターフェースの確立を要求するためのインターフェース確立構成要素と
を備える、アクセスポイント情報を受信するための装置。
【請求項５６】
前記受信パラメータがＣＳＧ識別子であり、前記インターフェース確立構成要素が、前記ＣＳＧ識別子を１つまたは複数のローカルＣＳＧ識別子と比較する、請求項５５に記載の装置。
【請求項５７】
前記インターフェース確立構成要素が、ローカルネットワークアドレスを指定するラベルを有する前記複数のアドレスのうちの前記少なくとも１つを使用して前記インターフェースの確立を要求し、前記ＣＳＧ識別子が前記１つまたは複数のローカルＣＳＧ識別子に一致する、請求項５６に記載の装置。
【請求項５８】
前記インターフェース確立構成要素が、ワイヤレス事業者ネットワークアドレスを指定するラベルを有する前記複数のアドレスのうちの前記少なくとも１つを使用して前記インターフェースの確立を要求し、前記ＣＳＧ識別子が前記１つまたは複数のローカルＣＳＧ識別子に一致しない、請求項５６に記載の装置。
【請求項５９】
１つまたは複数のネットワーク構成要素によって割り当てられた複数のアドレスを受信することと、
ソースアクセスポイントからアドレスについての要求を受信することと、
前記ソースアクセスポイントに前記複数のアドレスを提供することと
を備える、ワイヤレス通信のための方法。
【請求項６０】
前記複数のアドレスの少なくとも一部分のためのラベルを前記ソースアクセスポイントに提供することをさらに備える、請求項５９に記載の方法。
【請求項６１】
前記複数のアドレスを用いて前記ソースアクセスポイントにＣＳＧ識別子を通信することをさらに備える、請求項５９に記載の方法。
【請求項６２】
１つまたは複数のネットワーク構成要素によって割り当てられた複数のアドレスを受信することと、
ソースアクセスポイントからアドレスについての要求を受信することと、
前記ソースアクセスポイントに前記複数のアドレスを提供することと
を行うように構成された少なくとも１つのプロセッサと、
前記少なくとも１つのプロセッサに結合されたメモリと
を備える、アクセスポイント情報を提供するための装置。
【請求項６３】
前記少なくとも１つのプロセッサが、前記複数のアドレスの少なくとも一部分のためのラベルを前記ソースアクセスポイントに提供するようにさらに構成された、請求項６２に記載の装置。
【請求項６４】
前記少なくとも１つのプロセッサが、前記複数のアドレスを用いて前記ソースアクセスポイントにＣＳＧ識別子を通信するようにさらに構成された、請求項６２に記載の装置。
【請求項６５】
１つまたは複数のネットワーク構成要素によって割り当てられた複数のアドレスを受信するための手段と、
ソースアクセスポイントからアドレスについての要求を受信するための手段と、
前記ソースアクセスポイントに前記複数のアドレスを提供するための手段と
を備える、アクセスポイント情報を提供するための装置。
【請求項６６】
提供するための前記手段が、前記複数のアドレスの少なくとも一部分のためのラベルを前記ソースアクセスポイントにさらに示す、請求項６５に記載の装置。
【請求項６７】
提供するための前記手段が、前記複数のアドレスを用いて前記ソースアクセスポイントにＣＳＧ識別子をさらに通信する、請求項６５に記載の装置。
【請求項６８】
少なくとも１つのコンピュータに、１つまたは複数のネットワーク構成要素によって割り当てられた複数のアドレスを受信させるためのコードと、
前記少なくとも１つのコンピュータに、ソースアクセスポイントからアドレスについての要求を受信させるためのコードと、
前記少なくとも１つのコンピュータに、前記ソースアクセスポイントに前記複数のアドレスを提供させるためのコードと
を備える、コンピュータ可読媒体
を備える、アクセスポイント情報を提供するためのコンピュータプログラム製品。
【請求項６９】
前記コンピュータ可読媒体が、前記少なくとも１つのコンピュータに、前記複数のアドレスの少なくとも一部分のためのラベルを前記ソースアクセスポイントに提供させるためのコードをさらに備える、請求項６８に記載のコンピュータプログラム製品。
【請求項７０】
前記コンピュータ可読媒体が、前記少なくとも１つのコンピュータに、前記複数のアドレスを用いて前記ソースアクセスポイントにＣＳＧ識別子を通信させるためのコードをさらに備える、請求項６８に記載のコンピュータプログラム製品。
【請求項７１】
１つまたは複数のネットワーク構成要素によって割り当てられた複数のアドレスを受信するためのネットワークアドレス構成要素と、
ソースアクセスポイントからアドレスについての要求を取得するためのアドレス要求受信構成要素と、
前記ソースアクセスポイントに前記複数のアドレスを通信するためのアドレス提供構成要素と
を備える、アクセスポイント情報を提供するための装置。
【請求項７２】
前記アドレス提供構成要素が、前記複数のアドレスの少なくとも一部分のためのラベルを前記ソースアクセスポイントにさらに通信する、請求項７１に記載の装置。
【請求項７３】
前記アドレス提供構成要素が、前記複数のアドレスを用いて前記ソースアクセスポイントにＣＳＧ識別子をさらに通信する、請求項７１に記載の装置。
【発明の詳細な説明】
【技術分野】
【０００１】
［米国特許法第１１９条に基づく優先権の主張］
本特許出願は、本出願の譲受人に譲渡され、参照により本明細書に明確に組み込まれる、２０１０年４月３０日に出願された「Systems, Methods and Devices to Enable Setup of a Direct Interface in a Wireless Network」と題する仮出願第６１／３３０，２４９号の優先権を主張する。
【０００２】
［分野］
以下の説明は、一般にワイヤレスネットワーク通信に関し、より詳細には、アクセスポイント間にインターフェースを確立することに関する。
【背景技術】
【０００３】
［背景］
ワイヤレス通信システムは、たとえば、ボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／または基地局は他の基地局と）通信することができる。
【０００５】
従来の基地局を補うために、追加の基地局を展開して、よりロバストなワイヤレスカバレージをモバイルユニットに与え得る。たとえば、増分キャパシティの増大、よりリッチなユーザエクスペリエンス、屋内または他の特定の地理的カバレージなどのために、低電力基地局（たとえば、Ｈ（ｅ）ＮＢと総称されるホームノードＢまたはホームｅＮＢ、フェムトアクセスポイント、フェムトセル、ピコセル、マイクロセルなど）が展開され得る。いくつかの構成では、そのような低電力基地局は、ブロードバンド接続（たとえば、デジタル加入者回線（ＤＳＬ）ルータ、ケーブルまたは他のモデムなど）を介してインターネットおよびモバイル事業者ネットワークに接続される。一例では、基地局、Ｈ（ｅ）ＮＢなどは、ワイヤレス事業者ネットワークを通してバックホールインターフェースを使用して（たとえば、Ｘ２インターフェースを介して）互いに通信することができる。一例では、基地局、Ｈ（ｅ）ＮＢなどは、デバイスなどからの通信をハンドオーバするためのデバイスコンテキスト情報を通信することができる。さらに、いくつかのＨ（ｅ）ＮＢは、いくつかのデバイス、または限定加入者グループ（ＣＳＧ;closed subscriber group）のメンバーである関係するユーザへのアクセスを制限するための（またはアクセスレベルを改善するための）ＣＳＧと関連している。ある場合には、そのようなＨ（ｅ）ＮＢは、同じローカルネットワーク、たとえば、エンタープライズにあるインターネットプロトコル（ＩＰ）ネットワークの一部であり得、それを介して、Ｈ（ｅ）ＮＢは、ワイヤレス事業者ネットワークにアクセスすることができる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、本開示では、ワイヤレス事業者ネットワーク中の低電力基地局間にインターフェースを確立することに関して様々な態様について説明する。たとえば、ワイヤレス事業者ネットワーク中の低電力基地局は、ワイヤレス事業者ネットワークにアクセスするときに同じローカルネットワークに接続することができる。この例では、ローカルネットワーク内のアクセスポイント間にインターフェースを確立するために、アクセスポイントのうちの少なくとも１つは、別のアクセスポイントにローカルネットワークアドレスを通信することができ、インターフェースは、このローカルネットワークアドレスを使用してローカルネットワーク内のアクセスポイント間に確立され得る。この点について、インターフェースは、ワイヤレス事業者のリモートネットワーク上で確立されず、これにより、ワイヤレス事業者のリモートネットワークノードの横断の必要がないのでインターフェース上のスループットを改善することができ、これにより、ワイヤレス事業者ネットワーク上のリソースなどを節約することができる。
【０００８】
一例によれば、ワイヤレス通信の方法が提供される。本方法は、ターゲットアクセスポイントが制限付きアクセスポイント(restricted access point)であると決定する(determine)ことに少なくとも部分的に基づいて、識別子を含むターゲットアクセスポイントのアドレスについての要求を生成することと、ターゲットアクセスポイントに要求を送信することとを含む。
【０００９】
別の態様では、アクセスポイント情報を要求するための装置が提供される。本装置は、ターゲットアクセスポイントが制限付きアクセスポイントであると決定することに少なくとも部分的に基づいて、識別子を含むターゲットアクセスポイントのアドレスについての要求を生成するように構成された少なくとも１つのプロセッサを含む。少なくとも１つのプロセッサは、ターゲットアクセスポイントに要求を送信するようにさらに構成される。本装置はまた、少なくとも１つのプロセッサに結合されたメモリを含む。
【００１０】
さらに別の態様では、ターゲットアクセスポイントが制限付きアクセスポイントであると決定することに少なくとも部分的に基づいて、識別子を含むターゲットアクセスポイントのアドレスについての要求を送信するための手段を含む、アクセスポイント情報を要求するための装置が提供される。本装置は、ターゲットアクセスポイントのネットワークアドレスを受信するための手段をさらに含む。
【００１１】
さらに、別の態様では、少なくとも１つのコンピュータに、ＣＳＧとの関連を広告する信号を送信させるためのコードと、少なくとも１つのコンピュータに、ターゲットアクセスポイントが制限付きアクセスポイントであると決定することに少なくとも部分的に基づいて、識別子を含むターゲットアクセスポイントのアドレスについての要求を生成させるためのコードとを有するコンピュータ可読媒体を含む、アクセスポイント情報を要求するためのコンピュータプログラム製品が提供される。本コンピュータ可読媒体は、少なくとも１つのコンピュータに、ターゲットアクセスポイントに要求を送信させるためのコードをさらに含む。
【００１２】
さらに、一態様では、ターゲットアクセスポイントが制限付きアクセスポイントであると決定することに少なくとも部分的に基づいて、識別子を含むターゲットアクセスポイントのアドレスについての要求を送信するためのアドレス要求構成要素(address requesting component)を含む、アクセスポイント情報を要求するための装置が提供される。本装置は、ターゲットアクセスポイントのネットワークアドレスを取得するためのアドレス受信構成要素をさらに含む。
【００１３】
別の例によれば、ワイヤレス通信の方法が提供される。本方法は、ソースアクセスポイント(source access point)から、識別子を含むアドレスについての要求を受信することと、識別子に少なくとも部分的に基づいて、ソースアクセスポイントに提供すべき複数の割り当てられたアドレスのうちの少なくとも１つを決定することとを含む。本方法は、複数の割り当てられたアドレスのうちの少なくとも１つをソースアクセスポイントに送信することをさらに含む。
【００１４】
別の態様では、アクセスポイント情報を提供するための装置が提供される。本装置は、ソースアクセスポイントから、識別子を含むアドレスについての要求を受信することと、識別子に少なくとも部分的に基づいて、ソースアクセスポイントに提供すべき複数の割り当てられたアドレスのうちの少なくとも１つを決定することとを行うように構成された少なくとも１つのプロセッサを含む。少なくとも１つのプロセッサは、複数の割り当てられたアドレスのうちの少なくとも１つをソースアクセスポイントに送信するようにさらに構成される。本装置はまた、少なくとも１つのプロセッサに結合されたメモリを含む。
【００１５】
さらに別の態様では、ソースアクセスポイントから、識別子を含むアドレスについての要求を受信するための手段を含む、アクセスポイント情報を提供するための装置が提供される。本装置は、複数の割り当てられたアドレスのうちの少なくとも１つをソースアクセスポイントに送信するための手段であって、送信するための手段が、識別子に少なくとも部分的に基づいて複数の割り当てられたアドレスのうちの少なくとも１つを決定する、送信するための手段をさらに含む。
【００１６】
さらに、別の態様では、少なくとも１つのコンピュータに、ソースアクセスポイントから、識別子を含むアドレスについての要求を受信させるためのコードを有するコンピュータ可読媒体を含む、アクセスポイント情報を提供するためのコンピュータプログラム製品が提供される。本コンピュータ可読媒体は、少なくとも１つのコンピュータに、識別子に少なくとも部分的に基づいて、ソースアクセスポイントに提供すべき複数の割り当てられたアドレスのうちの少なくとも１つを決定させるためのコードと、少なくとも１つのコンピュータに、複数の割り当てられたアドレスのうちの少なくとも１つをソースアクセスポイントに送信させるためのコードとをさらに含む。
【００１７】
さらに、一態様では、ソースアクセスポイントから、識別子を含むアドレスについての要求を取得するためのアドレス要求受信構成要素を含む、アクセスポイント情報を提供するための装置が提供される。本装置は、複数の割り当てられたアドレスのうちの少なくとも１つをソースアクセスポイントに送信するためのアドレス提供構成要素であって、アドレス提供構成要素が、識別子に少なくとも部分的に基づいて複数の割り当てられたアドレスのうちの少なくとも１つを決定する、アドレス提供構成要素をさらに含む。
【００１８】
さらなる一例によれば、ワイヤレス通信の方法が提供される。本方法は、ターゲットアクセスポイントから複数のアドレスを受信することと、受信パラメータに少なくとも部分的に基づいて、ターゲットアクセスポイントと通信することに利用すべき複数のアドレスのうちの少なくとも１つを決定することとを含む。本方法は、複数のアドレスのうちの少なくとも１つを使用してターゲットアクセスポイントとのインターフェースを確立することをさらに含む。
【００１９】
別の態様では、アクセスポイント情報を受信するための装置が提供される。本装置は、ターゲットアクセスポイントから複数のアドレスを受信することと、受信パラメータに少なくとも部分的に基づいて、ターゲットアクセスポイントと通信することに利用すべき複数のアドレスのうちの少なくとも１つを決定することとを行うように構成された少なくとも１つのプロセッサを含む。少なくとも１つのプロセッサは、複数のアドレスのうちの少なくとも１つを使用してターゲットアクセスポイントとのインターフェースを確立するようにさらに構成される。本装置はまた、少なくとも１つのプロセッサに結合されたメモリを含む。
【００２０】
さらに別の態様では、ターゲットアクセスポイントから複数のアドレスを受信するための手段を含む、アクセスポイント情報を受信するための装置が提供される。本装置は、受信パラメータに少なくとも部分的に基づいて、ターゲットアクセスポイントと通信することに利用すべき複数のアドレスのうちの少なくとも１つを決定することに少なくとも部分的に基づいてターゲットアクセスポイントとのインターフェースを確立するための手段をさらに含む。
【００２１】
さらに、別の態様では、少なくとも１つのコンピュータに、ターゲットアクセスポイントから複数のアドレスを受信させるためのコードと、少なくとも１つのコンピュータに、受信パラメータに少なくとも部分的に基づいて、ターゲットアクセスポイントと通信することに利用すべき複数のアドレスのうちの少なくとも１つを決定させるためのコードとを有するコンピュータ可読媒体を含む、アクセスポイント情報を受信するためのコンピュータプログラム製品が提供されるコンピュータ可読媒体は、少なくとも１つのコンピュータに、複数のアドレスのうちの少なくとも１つを使用してターゲットアクセスポイントとのインターフェースを確立させるためのコードさらに含む。
【００２２】
さらに、一態様では、ターゲットアクセスポイントから複数のアドレスを受信するためのアドレス受信構成要素を含む、アクセスポイント情報を受信するための装置が提供される。本装置は、受信パラメータに少なくとも部分的に基づいて、ターゲットアクセスポイントと通信することに利用すべき複数のアドレスのうちの少なくとも１つを決定することに少なくとも部分的に基づいてターゲットアクセスポイントとのインターフェースの確立を要求するためのインターフェース確立構成要素をさらに含む。
【００２３】
さらに、一例によれば、ワイヤレス通信の方法が提供される。本方法は、１つまたは複数のネットワーク構成要素によって割り当てられた複数のアドレスを受信することと、ソースアクセスポイントからアドレスについての要求を受信することとを含む。本方法は、ソースアクセスポイントに複数のアドレスを提供することをさらに含む。
【００２４】
別の態様では、アクセスポイント情報を提供するための装置が提供される。本装置は、１つまたは複数のネットワーク構成要素によって割り当てられた複数のアドレスを受信することと、ソースアクセスポイントからアドレスについての要求を受信することとを行うように構成された少なくとも１つのプロセッサを含む。少なくとも１つのプロセッサは、ソースアクセスポイントに複数のアドレスを提供するようにさらに構成される。本装置はまた、少なくとも１つのプロセッサに結合されたメモリを含む。
【００２５】
さらに別の態様では、１つまたは複数のネットワーク構成要素によって割り当てられた複数のアドレスを受信するための手段と、ソースアクセスポイントからアドレスについての要求を受信するための手段とを含む、アクセスポイント情報を提供するための装置が提供される。本装置は、ソースアクセスポイントに複数のアドレスを提供するための手段をさらに含む。
【００２６】
さらに、別の態様では、少なくとも１つのコンピュータに、１つまたは複数のネットワーク構成要素によって割り当てられた複数のアドレスを受信させるためのコードと、少なくとも１つのコンピュータに、ソースアクセスポイントからアドレスについての要求を受信させるためのコードとを有するコンピュータ可読媒体を含む、アクセスポイント情報を提供するためのコンピュータプログラム製品が提供される。コンピュータ可読媒体は、少なくとも１つのコンピュータに、ソースアクセスポイントに複数のアドレスを提供させるためのコードをさらに含む。
【００２７】
さらに、一態様では、１つまたは複数のネットワーク構成要素によって割り当てられた複数のアドレスを受信するためのネットワークアドレス構成要素と、ソースアクセスポイントからアドレスについての要求を取得するためのアドレス要求受信構成要素とを含む、アクセスポイント情報を提供するための装置が提供される。本装置は、ソースアクセスポイントに複数のアドレスを通信するためのアドレス提供構成要素をさらに含む。
【００２８】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２９】
添付の図面とともに以下に説明する開示する態様は、開示する態様を限定するためではなく、開示する態様を例示するために与えられ、同様の表示は同様の要素を示す。
【図面の簡単な説明】
【００３０】
【図１】様々なアクセスポイントの間のインターフェース確立を可能にすることを可能にするシステムの一態様のブロック図。
【図２】アクセスポイントインターフェースを確立するためのシステムの一態様のブロック図。
【図３】ソースアクセスポイントにターゲットアクセスポイント情報を提供する一態様の例示的なメッセージフロー図。
【図４】ターゲットアクセスポイントに関する情報を要求するための方法の一態様のフローチャート。
【図５】ソースアクセスポイントにアドレスを提供する方法の一態様のフローチャート。
【図６】複数の受信したアドレスのうちの１つを使用してターゲットアクセスポイントとのインターフェースを確立するための方法の一態様のフローチャート。
【図７】ソースアクセスポイントに複数のアドレスを提供するための方法の一態様のフローチャート。
【図８】アクセスポイントとのインターフェースを確立するためのシステムの一態様のブロック図。
【図９】ターゲットアクセスポイントに関する情報を要求するシステムの一態様のブロック図。
【図１０】ソースアクセスポイントにアドレスを提供するシステムの一態様のブロック図。
【図１１】複数の受信したアドレスのうちの１つを使用してターゲットアクセスポイントとのインターフェースを確立するシステムの一態様のブロック図。
【図１２】ソースアクセスポイントに複数のアドレスを提供するシステムの一態様のブロック図。
【図１３】本明細書に記載する様々な態様による、ワイヤレス通信システムの一態様のブロック図。
【図１４】本明細書で説明する様々なシステムおよび方法とともに採用され得るワイヤレスネットワーク環境の一態様の概略ブロック図。
【図１５】本明細書の態様が実装され得る、いくつかのデバイスをサポートするように構成されたワイヤレス通信システムの一態様の概略図。
【図１６】ネットワーク環境内でフェムトセルの展開を可能にするための通信システムの一態様の概略図。
【図１７】いくつかの定義された追跡エリアを有するカバレージマップの一態様の概略図。
【発明を実施するための形態】
【００３１】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００３２】
本明細書でさらに説明するように、インターフェースは、低電力基地局など、ワイヤレスネットワーク中のアクセスポイント間に確立され得、アクセスポイントは、本明細書ではＨ（ｅ）ＮＢと総称される、ホームノードＢ（ＨＮＢ）、ホーム発展型ノードＢ（ＨｅＮＢ）などを含むことができる。インターフェースは、アクセスポイント構成に応じて、ワイヤレス事業者ネットワーク上で、またはローカルネットワーク上でセットアップされ得る。たとえば、アクセスポイントが同じローカルネットワーク中で構成される場合、インターフェースは、ワイヤレス事業者ネットワークの代わりにローカルネットワークを使用してアクセスポイント間にセットアップされ得る。一例では、アクセスポイントは、ローカルネットワークからネットワークアドレスを受信することができ、ワイヤレス事業者ネットワークをトラバースすることなしに通信するためにローカルアドレスを利用することができる。これにより、インターフェースのスループットを改善すること、ローカルネットワークセキュリティの利用を可能にすることなどが可能になる。
【００３３】
特定の例では、アクセスポイントは、Ｈ（ｅ）ＮＢ、またはワイヤレス事業者ネットワークと通信するためにブロードバンドインターネット接続（たとえば、デジタル加入者回線（ＤＳＬ）、ケーブル、Ｔ１／Ｔ３など）を利用することができる同様のアクセスポイントであり、インターネットアクセスを与えるローカルネットワーク中で通信することができる。たとえば、エンタープライズは、エンタープライズ内の異なるエリアにワイヤレス事業者ネットワークアクセスを与えるために、複数のＨ（ｅ）ＮＢを有することができる。Ｈ（ｅ）ＮＢが同じエンタープライズ内にあり、したがって、エンタープライズローカルネットワークを介して通信することができる場合、たとえば、Ｈ（ｅ）ＮＢ間のインターフェースは、（たとえば、エンタープライズローカルネットワーク中で通信するために割り当てられたネットワークアドレスを使用して）エンタープライズローカルネットワーク上で確立され得る。
【００３４】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００３５】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００３６】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３７】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ(登録商標)および任意の他の短距離または長距離ワイヤレス通信技法をしばしば使用するピアツーピア（たとえば、モバイルツーモバイル）アドホックネットワークシステムをさらに含み得る。
【００３８】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００３９】
図１を参照すると、１つまたは複数のアクセスポイント間で通信するためのインターフェースを確立することを可能にするワイヤレス通信システム１００が示されている。説明のために、本開示の様々な態様について、互いに通信する１つまたは複数のアクセスポイントに関して説明する。ただし、本明細書の態様は、他のタイプの装置、または他の用語を使用して参照される他の同様の装置に適用可能であり得ることを諒解されたい。たとえば、アクセスポイントは、Ｈ（ｅ）ＮＢ、フェムトセルまたはピコセルアクセスポイント、モバイル基地局、リレーノード、ホットスポット、ルータ、ゲートウェイ、他の基地局などの低電力基地局と呼ばれることがあり、またはそれとして実装され得る。
【００４０】
システム１００は、インターフェースを介して、アクセスポイント１０４および／またはアクセスポイント１１０など、少なくとも１つまたは複数の他のアクセスポイントと通信するアクセスポイント１０２を備える。たとえば、ＬＴＥ構成では、インターフェースは、アクセスポイント間で通信するために定義されるＸ２インターフェースまたは同様のバックホールインターフェースを含むことができる。図示された例では、アクセスポイント１０２および１０４は、エンタープライズネットワーク１０６の一部であり得、エンタープライズネットワーク１０６を通して、アクセスポイント１０２および１０４は、（たとえば、ワイヤレス事業者ネットワーク１０８に１つまたは複数のデバイス（図示せず）へのアクセスを与えるために）ワイヤレス事業者ネットワーク１０８にアクセスすることができる。たとえば、ワイヤレス事業者ネットワーク１０８は、インターネットなどの１つまたは複数のネットワークへのアクセスをさらに与えることができる、ＬＴＥ、ＵＭＴＳ、または同様のネットワークなどのモバイル事業者コアネットワークであり得る。システム１００は、アクセスポイント１１０をさらに備え、アクセスポイント１０２および／または１０４は、アクセスポイント１１０と、ワイヤレス事業者ネットワーク１０８の１つまたは複数のノードを横断することによって通信することができる。
【００４１】
アクセスポイント１０２および１０４は、エンタープライズネットワーク１０６中で通信するので、アクセスポイント１０２および１０４は、エンタープライズネットワーク１０６内で通信するためのエンタープライズネットワーク１０６の１つまたは複数の構成要素からローカルインターネットプロトコル（ＩＰ）アドレス１１２および１１４をそれぞれ受信することができる。さらに、アクセスポイント１０２および１０４は、（たとえば、エンタープライズネットワーク１０６を介して）ワイヤレス事業者ネットワーク１０８中で通信するためのワイヤレス事業者１０８からワイヤレス事業者ネットワークＩＰアドレス１１６および１１８を受信することができる。一例では、アクセスポイント１０２および１０４は、セキュリティゲートウェイなどの、それらの１つまたは複数の構成要素を介してワイヤレス事業者ネットワーク１０８上で認証され得、セキュリティゲートウェイを通ってワイヤレス事業者ネットワーク１０８の他のノードへとつながるＩＰセキュリティ（ＩＰＳｅｃ）通信トンネルまたは同様のセキュアな通信トンネルに対応することができるワイヤレス事業者ネットワークＩＰアドレス１１６および１１８を受信することができる。ネットワークプロトコル通信にＩＰを使用して図示および説明するが、本明細書で説明する態様は、追加または代替として、モバイルＩＰ、ユーザデータグラムプロトコル（ＵＤＰ：user datagram protocol）など、他のネットワークアドレス指定および通信技術を利用することができることを諒解されたい。
【００４２】
さらに、アクセスポイント１１０は、１つまたは複数のデバイス（図示せず）へのアクセスを与えるためにワイヤレス事業者ネットワーク１０８中で通信することができる。したがって、アクセスポイント１１０には、ワイヤレス事業者ネットワーク１０８からワイヤレス事業者ネットワークＩＰアドレス１２０も割り当てられる。一例では、アクセスポイント１０２、１０４、および／または１１０は、ワイヤレス事業者ネットワークＩＰアドレス１１６、１１８、および／または１２０に従って、ワイヤレス事業者ネットワーク１０８を通して互いにインターフェースを確立することができる。たとえば、アクセスポイント１０２、１０４、および／または１１０は、アクセスポイントの間で共有される情報（たとえば、ハンドオーバのためのデバイスコンテキスト情報、負荷分散のためのメトリックなど）を通信するためのインターフェースを確立することができる。したがって、アクセスポイント１０２、１０４、および／または１１０の間の通信は、アクセスポイント１０２、１０４、および／または１１０がワイヤレス事業者ネットワーク１０８中で通信することが許可されることを保証するために、ワイヤレス事業者ネットワーク１０８中の様々なノードを横断することができる。
【００４３】
しかしながら、アクセスポイント１０２および１０４は、エンタープライズネットワーク１０６を介して通信するので、一例では、アクセスポイント１０２および１０４は、ワイヤレス事業者ネットワーク１０８のノードを横断することなしにエンタープライズネットワーク１０６を介して通信するためのインターフェースを確立することができる。この例では、アクセスポイント１０２および／または１０４は、互いに通信するために、それぞれ、ローカルＩＰアドレス１１４および／または１１２を指定することができる。一例では、アクセスポイント１０２は、アクセスポイント１０４から少なくともローカルＩＰアドレス１１４を取得することができ、したがって、ローカルＩＰアドレス１１４を使用してアクセスポイント１０４とのインターフェースの確立を要求することができる。たとえば、アクセスポイント１０２は、アクセスポイント１０４にアドレス情報を要求することができ、ワイヤレス事業者ネットワーク１０８の構成要素から上記のことを要求すること、および／またはアクセスポイント１０４に要求を通信するためにワイヤレス事業者ネットワーク１０８を利用することを含むことができる。たとえば、アクセスポイント１０２は、自動ネイバーリレーション（ＡＮＲ：automatic neighbor relation）などを使用して、運用、アドミニストレーション、および管理（ＯＡＭ：operation, administration, and management）サーバからアクセスポイント１０４の１つまたは複数のアドレスを収集することができる。
【００４４】
一例では、アクセスポイント１０２は、アクセスポイント１０４のアドレス情報についての要求中で１つまたは複数の識別子を指定することができる。一例では、１つまたは複数の識別子は、アクセスポイント１０２がエンタープライズネットワーク１０６の一部であること、および／またはエンタープライズネットワーク１０６に対応する制限付き関連付けグループの一部であることなどを示すことができる。この例では、アドレス情報を与えるノード（たとえば、アクセスポイント１０４またはエンタープライズネットワーク１０６の別のノード）は、１つまたは複数の識別子に少なくとも部分的に基づいてローカルＩＰアドレス１１４および／またはワイヤレス事業者ネットワークＩＰアドレス１１８を与えるかどうかを決定することができる（たとえば、アクセスポイント１０２がエンタープライズネットワーク１０６中にあるかまたはその中にあり得ること、アクセスポイント１０２が、Ｈ（ｅ）ＮＢであるか、またはマクロセルアクセスポイントではない他のタイプのアクセスポイントであることなどを識別子が示す場合、ローカルＩＰアドレス１１４が与えられ得る）。別の例では、ローカルＩＰアドレス１１４およびワイヤレス事業者ネットワークＩＰアドレス１１８は、アドレス情報を要求することに基づいてアクセスポイント１０２に与えられ得る。この例では、アクセスポイント１０２は、１つまたは複数の追加のパラメータ（たとえば、アクセスポイント１０４がエンタープライズネットワーク１０６を介して通信するかどうかなどを示すアクセスポイント１０４の同様の識別子）に少なくとも部分的に基づいてアドレス１１４とアドレス１１８のどちらを使用すべきかについて決定することができる。アクセスポイント１０２は、このアドレスを使用してアクセスポイント１０４とのインターフェースを確立することができる。さらに、たとえば、アクセスポイント１０２は、アドレス１１４と１１８の両方を使用してアクセスポイント１０４とのインターフェースを確立しようと試みることができ、確立に成功したインターフェースはどれでも利用することができる。
【００４５】
別の例では、アクセスポイント１１０は、（たとえば、アクセスポイント１０４、またはワイヤレス事業者ネットワーク１０８の１つまたは複数の構成要素から）それとのインターフェースを確立するためのアクセスポイント１０４に関する情報を要求することができる。たとえば、アクセスポイント１１０は、それがマクロセルアクセスポイントであることをアクセスポイント１０４に示すことができる。この例では、アクセスポイント１０４は、インターフェースを確立するためのアクセスポイント１１０にワイヤレス事業者ネットワークＩＰアドレス１１８を与えることができる。別の例では、アクセスポイント１０４はアドレス１１４とアドレス１１８の両方を与えることができ、アクセスポイント１１０は、マクロセルアクセスポイントであるので、ワイヤレス事業者ネットワークＩＰアドレス１１８を使用すべきかを決定することができる。
【００４６】
図２を参照すると、ワイヤレス通信ネットワーク中のアクセスポイント間のインターフェースを確立することを可能にする例示的なワイヤレス通信システム２００が示されている。システム２００は、同じワイヤレス事業者ネットワーク２０６の一部であり得るアクセスポイント２０２とアクセスポイント２０４とを含むことができ、１つまたは複数の接続を通してワイヤレス事業者ネットワーク２０６にアクセスすることができる。たとえば、アクセスポイント２０４は、エンタープライズネットワーク２０８中で通信することができ、一例では、アクセスポイント２０４は、Ｈ（ｅ）ＮＢ、またはアクセスポイント２０４がワイヤレス事業者ネットワーク２０６にアクセスすることができるローカルネットワークの一部であり得る同様のアクセスポイントであり得る。一例では、アクセスポイント２０２は、（たとえば、ワイヤレス事業者ネットワーク２０６にアクセスするために）エンタープライズネットワーク２０８中でも通信することができる。別の例では、アクセスポイント２０２は、無線ネットワークコントローラ（ＲＮＣ：radio network controller）、またはワイヤレス事業者ネットワーク２０６の他の構成要素と通信することを可能にする同様の構成要素を介してワイヤレス事業者ネットワーク２０６と通信するマクロセルアクセスポイントであり得る。
【００４７】
アクセスポイント２０２は、１つまたは複数のアクセスポイントに関する情報についての要求を生成するためのアドレス要求構成要素２１０と、１つまたは複数のアクセスポイントの１つまたは複数のネットワークアドレスを取得するためのアドレス受信構成要素２１２と、１つまたは複数のネットワークアドレスに基づいて１つまたは複数のアクセスポイントへのインターフェースを確立することについての要求を開始するためのインターフェース確立構成要素２１４とを備える。アクセスポイント２０４は、それを介して通信するための１つまたは複数のネットワークから１つまたは複数のネットワークアドレスを取得するためのネットワークアドレス構成要素２１６と、ネットワークアドレスについての要求を取得するためのアドレス要求受信構成要素２１８とを備えることができる。アクセスポイント２０４は、要求元エンティティにネットワークアドレスのうちの１つまたは複数を通信するためのアドレス提供構成要素２２０と、要求元エンティティと通信するためのインターフェースを確立することを可能にするためのインターフェース確立構成要素２２２とをさらに備える。アクセスポイント２０２および２０４は、各アクセスポイント２０２および／または２０４において本明細書で説明する機能を与えるために同様の構成要素を備えることができることを諒解されたい。
【００４８】
一例では、説明したように、アクセスポイント２０４は、エンタープライズネットワーク２０８のリソースへのアクセスを受信するためにエンタープライズネットワーク２０８に結合されるＨ（ｅ）ＮＢ（たとえば、ブロードバンドインターネット接続）であり得る。この例では、ネットワークアドレス構成要素２１６は、エンタープライズネットワーク２０８中の１つまたは複数の構成要素と通信するためのエンタープライズネットワーク２０８からローカルアドレスを取得することができる。さらに、アクセスポイント２０４は、（たとえば、エンタープライズネットワーク２０８を通してブロードバンドインターネット接続を介して）ワイヤレス事業者ネットワーク２０６に登録する。一例では、アクセスポイント２０４は、モビリティ管理エンティティ（ＭＭＥ：mobility management entity）２２４、またはサービング汎用パケット無線サービス（ＧＰＲＳ：general packet radio service）サポートノード（ＳＧＳＮ：serving GPRS support node）など、ワイヤレス事業者ネットワーク２０６の同様の構成要素に登録することができる。この例では、ネットワークアドレス構成要素２１６はまた、ワイヤレス事業者ネットワーク２０６から（たとえば、それの１つまたは複数のゲートウェイによって割り当てられる）ワイヤレス事業者ネットワークアドレスを受信することができる。説明したように、アクセスポイント２０４は、ワイヤレス事業者ネットワーク２０６において認証され得、したがって、ワイヤレス事業者ネットワークアドレスは、エンタープライズネットワーク２０８を通してアクセスポイント２０４とワイヤレス事業者ネットワーク２０６との間に確立されるセキュアな通信トンネルに関係し得る。
【００４９】
インターフェース確立構成要素２１４は、それと通信するためのアクセスポイント２０４とのインターフェースを確立することを決定することができる。たとえば、これは、アクセスポイント２０４の存在を検出する１つまたは複数のネイバー検出プロシージャに少なくとも部分的に基づくことができ、アクセスポイント２０４から信号を受信すること、１つまたは複数のデバイス（図示せず）からの測定報告中でアクセスポイント２０４に関する情報を受信すること、測定報告に基づいて１つまたは複数のデバイスの通信をアクセスポイント２０４にハンドオーバすると決定することなどを含むことができる。この点について、たとえば、アドレス要求構成要素２１０は、ネットワークアドレスおよび／または他の情報についての要求を生成し、この要求をアクセスポイント２０４に、または（たとえば、ネイバー検出プロシージャの一部として受信した）アクセスポイント２０４の受信識別子に基づいてワイヤレス事業者ネットワーク２０６の１つまたは複数の構成要素に送信することができる。たとえば、これは、ＡＮＲ、ＯＡＭサーバへの要求、またはＬＴＥにおける同様のプロシージャなどの一部であり得る。たとえば、アドレス要求構成要素２１０は、ＭＭＥ２２４、またはワイヤレス事業者ネットワーク２０６の別の構成要素から情報を要求することができ、要求された情報は、アクセスポイント２０４の１つまたは複数のアドレスまたは他の識別子に関係することができる。この例では、したがって、ＭＭＥ２２４は、アクセスポイント２０４、ＯＡＭ、または同様の構成要素から情報を要求することができる。
【００５０】
アドレス要求受信構成要素２１８は、ＭＭＥ２２４から要求を取得することができ、アドレス提供構成要素２２０は、アクセスポイント２０２に通信するためのネットワークアドレス構成要素２１６からのローカルアドレスおよび／またはワイヤレス事業者ネットワークアドレスを決定することができる。この例では、アドレス提供構成要素２２０は、ＭＭＥ２２４にアドレスを送信することができ、ＭＭＥ２２４は、アクセスポイント２０２にこのアドレスを提供することができる。アドレス受信構成要素２１２は、アドレスを取得することができ、インターフェース確立構成要素２１４は、複数のアドレスが提供される場合、アクセスポイント２０４とのインターフェースを確立することにどのアドレスを利用すべきかを決定すること、１つまたは複数のアドレスをためすことによってアクセスポイント２０４とのインターフェースを確立しようと試みることなどのうちの少なくとも１つを行うことができる。正しいアドレスが利用されるとき、インターフェース確立構成要素２２２は、インターフェースを確立したいという要求を取得することができ、アクセスポイント２０２とのＸ２インターフェースまたは同様のバックホールインターフェースを確立するためにアクセスポイント２０２に応答することができる。
【００５１】
特定の例では、アドレス提供構成要素２２０は、ネットワークアドレス構成要素２１６からネットワークアドレスを取得することができ、アドレスのラベル(label)を（たとえば、１つまたは複数のデータ構造中にアドレスをもつパラメータとして）含むことができ、このラベルは、各アドレスが、ローカルネットワークアドレスであるのか、ワイヤレス事業者ネットワーク中でアクセス可能なアドレスであるのかなどを示すことができる。この例では、アドレス受信構成要素２１２は、（たとえば、ワイヤレス事業者ネットワーク２０６、ＭＭＥ２２４などを介して）アドレスおよびラベルを取得することができ、アクセスポイント２０２は、エンタープライズネットワーク２０８または別のローカルネットワーク中でアクセスポイント２０４と通信しないので、インターフェース確立構成要素２１４は、アドレスが、アクセスポイント２０４とのインターフェースを確立するためのワイヤレス事業者ネットワーク２０６のアドレスであることを示すラベルをもつアドレスを利用することができる。インターフェース確立構成要素２２２は、説明したように、アクセスポイント２０２から（たとえば、ワイヤレス事業者ネットワーク２０６、ＭＭＥ２２４などを介して）インターフェースを確立したいという要求を受信することができ、それとのインターフェースをセットアップすることができる。
【００５２】
別の例では、アドレス要求構成要素２１０は、アクセスポイント２０２がマクロセルであることをインターフェースを確立したいという要求および／またはそれに関係するメッセージ中で示すことができる。一例では、これは、要求中でソースアクセスポイント２０２の識別子２２６を指定することを含むことができ、識別子２２６は、（たとえば、識別子２２６が、マクロセルアクセスポイントのために予約された物理セル識別子、またはＨ（ｅ）ＮＢのために予約されていない物理セル識別子などの範囲内の物理セル識別子であることに基づいて）ソースアクセスポイント２０２がマクロセルアクセスポイントであるのかないのかを決定するために使用され得る。この例では、アドレス要求受信構成要素２１８は、（たとえば、ワイヤレス事業者ネットワーク２０６、ＭＭＥ２２４などを通して）要求および／または他のメッセージを取得することができ、識別子２２６などに基づいてアクセスポイント２０２がマクロセルアクセスポイントであることを決定することができる。したがって、アドレス提供構成要素２２０は、ネットワークアドレス構成要素２１６からアクセスポイント２０４のワイヤレス事業者ネットワークアドレスを収集することができ、（たとえば、ワイヤレス事業者ネットワーク２０６、ＭＭＥ２２４などを介して）アクセスポイント２０２にワイヤレス事業者ネットワークアドレスを提供することができる。アドレス受信構成要素２１２は、ワイヤレス事業者ネットワークアドレスを受信することができ、インターフェース確立構成要素２１４は、アクセスポイント２０４とのインターフェースを確立するためにワイヤレス事業者ネットワークアドレスを利用することができる。
【００５３】
別の例では、アクセスポイント２０４と同様に、アクセスポイント２０２は、エンタープライズネットワーク２０８中で通信し、それの１つまたは複数の構成要素からローカルアドレスを受信することができ、ワイヤレス事業者ネットワーク２０６にアクセスするためにエンタープライズネットワーク２０８を利用することができる。したがって、アクセスポイント２０２はまた、説明したように、ＭＭＥ２２４に登録し、そこからおよび／またはワイヤレス事業者ネットワーク２０６の１つまたは複数の他のノードからワイヤレス事業者ネットワークアドレスを受信することができる。
【００５４】
この例では、インターフェース確立構成要素２１４は、上記で説明したように、（たとえば、信号を受信すること、測定報告中で情報を受信することなど、１つまたは複数のネイバー検出プロシージャを通してアクセスポイント２０４を検出することに基づいて）アクセスポイント２０４とのインターフェースを確立することを決定することができる。したがって、アドレス要求構成要素２１０は、アドレスまたは、アクセスポイント２０４に関する他の情報を要求することができる。一例では、説明したように、アドレス要求受信構成要素２１８は、（たとえば、ワイヤレス事業者ネットワーク２０６、ＭＭＥ２２４などを介して）要求を受信することができ、アドレス提供構成要素２２０は、ラベルを用いてまたは用いないで、アクセスポイント２０２にローカルアドレスとワイヤレス事業者ネットワークアドレスの両方を送信することができる。一例では、アドレス提供構成要素２２０は、アクセスポイント２０４がエンタープライズネットワーク２０８中で通信することを指定する識別子２２８をさらに含むことができる。たとえば、これは、限定加入者グループ（ＣＳＧ）識別子であり得、エンタープライズネットワーク２０８中のアクセスポイントは、同様のＣＳＧ識別子を広告するか、または場合によってはそれに関連付けられる。
【００５５】
したがって、アドレス受信構成要素２１２は、識別子２２８ととも、（たとえば、ワイヤレス事業者ネットワーク２０６、ＭＭＥ２２４などを介して）アクセスポイント２０４からローカルアドレスとワイヤレス事業者ネットワークアドレスとを取得することができる。インターフェース確立構成要素２１４は、識別子２２８に少なくとも部分的に基づいてアクセスポイント２０４とのインターフェースを確立することにどのアドレスを利用すべきかを決定することができる。たとえば、識別子２２８は、アクセスポイント２０２が通信するのと同じエンタープライズネットワーク２０８であるエンタープライズネットワーク２０８中でアクセスポイント２０４が通信することを指定する場合（たとえば、報告されたＣＳＧ識別子が、ソースアクセスポイント２０２に関係する１つまたは複数のローカルＣＳＧ識別子と同様である場合）、インターフェース確立構成要素２１４は、ローカルアドレスを使用してインターフェースを確立することを決定することができる。たとえば、インターフェース確立構成要素２１４は、ラベル、アドレスの一部分（たとえば、アドレス中のいくつかの最上位オクテット、プレフィックスなど）、アドレスのタイプ（たとえば、ローカルリンクアドレスまたはグローバルＩＰアドレス、ＩＰｖ４またはＩＰｖ６アドレスなど）などに少なくとも部分的に基づいてローカルアドレスを決定することができる。別の例では、インターフェース確立構成要素２１４は、１つまたは複数のデバイスから受信される測定報告中で報告されるアクセスポイント２０４のＣＳＧ識別子を決定することができ、このＣＳＧ識別子に少なくとも部分的に基づいてローカルアドレスを選択することができる。
【００５６】
別の例では、アドレス要求構成要素２１０は、インターフェースを確立することについての要求中に同様の識別子２２６を指定することができる。たとえば、識別子２２６は、アクセスポイント２０２がエンタープライズネットワーク２０８中で通信するかどうかを指定することができ、および／またはエンタープライズネットワークを指定することができる。したがって、識別子２２６は、同様に、ＣＳＧ識別子などであり得る。たとえば、アドレス要求構成要素２１０は、アクセスポイント２０４がＣＳＧおよび／またはＨ（ｅ）ＮＢと関連していることを決定することに少なくとも部分的に基づいて識別子２２６を含むべきかどうかを決定することができる。たとえば、アドレス要求構成要素２１０は、（たとえば、説明したように、測定報告中で１つまたは複数のデバイス、アクセスポイント２０４または他のネイバー検出プロシージャから受信したシグナリングなどから受信した）アクセスポイント２０４の識別子、アクセスポイント２０４に関連する（たとえば、それのローカルにある）１つまたは複数のＣＳＧ識別子などに少なくとも部分的に基づいてこれを決定することができる。アドレス要求受信構成要素２１８は、（たとえば、説明したように、ワイヤレス事業者ネットワーク２０６、ＭＭＥ２２４などを介して）識別子２２６をもつ要求を取得することができ、アドレス提供構成要素２２０は、アクセスポイント２０２がエンタープライズネットワーク２０８と通信するかどうかを決定することができる。たとえば、これは、受信識別子２２６をアクセスポイント２０４に関連する１つまたは複数のローカルＣＳＧ識別子と比較することに少なくとも部分的に基づいて決定され得る。たとえば、識別子が一致する場合、アドレス提供構成要素２２０は、アクセスポイント２０２がアクセスポイント２０４と同じエンタープライズネットワーク２０８中で通信すると決定することができる。
【００５７】
アドレス提供構成要素２２０がそのように決定する場合、アドレス提供構成要素２２０は、ネットワークアドレス構成要素２１６からローカルアドレスを取得することができ、アクセスポイント２０２にローカルアドレスを提供することができる。同様に、アドレス提供構成要素２２０は、アクセスポイント２０２が同じエンタープライズネットワーク２０８と通信しないと決定する場合、アドレス提供構成要素２２０は、ネットワークアドレス構成要素２１６からワイヤレス事業者ネットワークアドレスを取得することができ、アクセスポイント２０２に提供することができる。アドレス受信構成要素２１２は、いずれの場合も、（たとえば、ワイヤレス事業者ネットワーク２０６、ＭＭＥ２２４などを介して）このアドレスを受信することができ、インターフェース確立構成要素２１４は、説明したように、アクセスポイント２０４とのインターフェースを確立するためにこのアドレスを利用することができる。
【００５８】
図３を参照すると、Ｈ（ｅ）ＮＢ間にインターフェースを確立するためのシステム３００の例示的なメッセージフロー図が示されている。システム３００は、ワイヤレス事業者ネットワークのＭＭＥ３０４と通信するソースＨ（ｅ）ＮＢ３０２を備える。システム３００はまた、同様にＭＭＥ３０４と通信するターゲットＨ（ｅ）ＮＢ３０６を備える。説明したように、ソースＨ（ｅ）ＮＢ３０２およびターゲットＨ（ｅ）ＮＢ３０６は、（たとえば、ブロードバンドインターネット接続を介して）ＭＭＥ３０４のワイヤレス事業者ネットワークにアクセスすることができる共通のまたは異なるエンタープライズネットワークを使用してＭＭＥ３０４と通信することができる。ソースＨ（ｅ）ＮＢ３０２は、たとえば、（たとえば、説明したように、ターゲットＨ（ｅ）ＮＢ３０６とのインターフェースを確立するための）ターゲットＨ（ｅ）ＮＢ３０６に関する情報を取得することを決定することができる。この例では、ソースＨ（ｅ）ＮＢ３０２は、ターゲットＨ（ｅ）ＮＢ３０６に関する情報を要求するためにＭＭＥ３０４にｅＮＢ構成転送３０８を送信することができる。説明したように、たとえば、ｅＮＢ構成転送３０８は、ターゲットｅＮＢ３０６のアドレスについての要求を含むことができ、および／またはソースＨ（ｅ）ＮＢ３０２の識別子を含むことができ、ソースＨ（ｅ）ＮＢ３０２がマクロセルアクセスポイントであるかどうかを決定するために使用され得る。さらに、たとえば、ソースＨ（ｅ）ＮＢ３０２は、ｅＮＢ構成転送３０８（または別個の関係するメッセージ）の一部としてＣＳＧ識別子を含むことができる。
【００５９】
ＭＭＥ３０４は、メッセージを受信し、ＭＭＥ構成転送３１０中でターゲットＨ（ｅ）ＮＢ３０６に転送することができる。ターゲットＨ（ｅ）ＮＢ３０６は、メッセージを受信することができ、ｅＮＢ構成転送３１２中で１つまたは複数のＩＰアドレスを返信することができる。説明したように、たとえば、ターゲットＨ（ｅ）ＮＢ３０６は、ローカルＩＰアドレス、（セキュリティゲートウェイによって割り当てられる）ワイヤレス事業者ネットワークのためのＩＰアドレスの一方または両方などを返信することができる。たとえば、ターゲットＨ（ｅ）ＮＢ３０６は、（たとえば、ＭＭＥ構成転送３１０中の）ソースＨ（ｅ）ＮＢ３０２のＣＳＧ識別子を決定することができる。ＣＳＧ識別子がターゲットＨ（ｅ）ＮＢ３０６の１つまたは複数のローカルＣＳＧ識別子とは異なる場合、および／またはターゲットＨ（ｅ）ＮＢ３０６がオープンアクセスモードで動作する場合、ターゲットＨ（ｅ）ＮＢ３０６は、ｅＮＢ構成転送３１２中で、ワイヤレス事業者ネットワークによって割り当てられるＩＰアドレスを返信することができる。ＣＳＧ識別子が同じである場合、ターゲットＨ（ｅ）ＮＢ３０６は、ｅＮＢ構成転送３１２中にローカルＩＰアドレスを含めることができる。別の例では、説明したように、ターゲットＨ（ｅ）ＮＢ３０６は、ｅＮＢ構成転送３１２中で両方のアドレスを送ることができる。ＭＭＥ３０４は、ｅＮＢ構成転送３１２を受信し、ＭＭＥ構成転送３１４中でソースＨ（ｅ）ＮＢ３０２に転送することができる。
【００６０】
ソースＨ（ｅ）ＮＢ３０２は、ＭＭＥ３０４からＭＭＥ構成転送３１４を取得することができ、ＭＭＥ構成転送３１４中に示される少なくとも１つのアドレスに少なくとも部分的に基づいてターゲットＨ（ｅ）ＮＢ３０６とのＸ２インターフェースを確立することができる。たとえば、ＭＭＥ構成転送３１４がターゲットＨ（ｅ）ＮＢ３０６のための２つ以上のアドレスを含む場合、ソースＨ（ｅ）ＮＢ３０２はインターフェースを確立するために両方のアドレスを利用し、正常にインターフェースを確立するものはどれでも利用することを試みることができる。別の例では、ソースＨ（ｅ）ＮＢ３０２は、（たとえば、１つまたは複数のデバイスからの測定報告中で報告されるＣＳＧ識別子、ＭＭＥ構成転送３１４中のＣＳＧ識別子などに少なくとも部分的に基づいて）ターゲットＨ（ｅ）ＮＢ３０６がソースＨ（ｅ）ＮＢ３０２と同じＣＳＧのメンバーであるかどうかを決定することができる。そうである場合、ソースＨ（ｅ）ＮＢ３０２は、（たとえば、１つまたは複数のアドレスラベル、アドレスの１つまたは複数のオクテットなどに基づいて）どのアドレスがローカルＩＰアドレスであるのかを決定することができ、このローカルＩＰアドレスを使用してインターフェースを確立することができる。さらに、説明したように、ターゲットＨ（ｅ）ＮＢ３０６は、要求、ＣＳＧ識別子など中のＩＰアドレスに少なくとも部分的に基づいてソースＨ（ｅ）ＮＢ３０２からのインターフェース確立要求を受け入れるべきかどうかを決定することができる。
【００６１】
図４〜図７を参照すると、アクセスポイント間のインターフェースを確立するためのアドレスを通信することに関係する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００６２】
図４を参照すると、アクセスポイントについてのアドレス情報を要求することを可能にする例示的な方法４００が表示されている。４０２において、ターゲットアクセスポインが制限付きアクセスポイントであると決定することに少なくとも部分的に基づいて、識別子を含むターゲットアクセスポイントのアドレスについての要求を生成する。説明したように、たとえば、ターゲットアクセスポイントは、１つまたは複数のネイバー検出プロシージャを介して発見され得、追加情報は、（たとえば、ＬＴＥにおけるＡＮＲを使用して）要求され得る。一例では、ターゲットアクセスポイントは、たとえば、Ｈ（ｅ）ＮＢまたはＣＳＧと関連している同様のアクセスポイントなどの制限付きアクセスポイントであると決定され得る。これは、たとえば、（たとえば、ＣＳＧ、またはターゲットアクセスポイントによって広告されるか、または場合によってはそれに関連する他の識別子を決定することに基づいて）ネイバー検出プロシージャから決定され得る。４０４において、要求をターゲットアクセスポイントに送信する。説明したように、たとえば、識別子は、要求に基づいて返信すべきネットワークアドレスを選択するためにターゲットアクセスポイントが同じエンタープライズネットワーク中で通信するかどうかを決定するためにターゲットアクセスポイントが利用することができる、ＣＳＧ識別子であり得る。
【００６３】
図５を参照すると、ソースアクセスポイントに提供すべきアドレスを選択するための例示的な方法５００が示されている。５０２において、ソースアクセスポイントから、識別子を含むアドレスについての要求を受信する。説明したように、識別子は、ソースアクセスポイントの識別子（たとえば、物理セル識別子）、ソースアクセスポイントに関連するＣＳＧ識別子などであり得る。（たとえば、物理セル識別子が、マクロセルアクセスポイントのために予約された様々な識別子の範囲内にある場合）たとえば、物理セル識別子は、ソースアクセスポイントがマクロセルアクセスポイントであるかどうかを決定するために使用され得る。５０４において、識別子に少なくとも部分的に基づいて、ソースアクセスポイントに提供すべき複数の割り当てられたアドレスのうちの少なくとも１つを決定する。たとえば、識別子が、物理セル識別子である場合、ソースアクセスポイントがマクロセルアクセスポイントであると決定され得、したがって、ソースアクセスポイントに提供するために、ワイヤレス事業者ネットワークアドレスが決定され得る。別の例では、識別子がＣＳＧ識別子である場合、それは、ソースアクセスポイントが同じＣＳＧ中で（したがって、一例では、同じエンタープライズネットワーク中で）動作するかどうかを決定するために、広告されたＣＳＧ識別子と比較され得る。そうである場合、説明したように、ソースアクセスポイントに提供するために、ローカルネットワークアドレスが決定され得る。５０６において、複数の割り当てられたアドレスのうちの少なくとも１つをソースアクセスポイントに送信する。
【００６４】
図６を参照すると、それとのインターフェースを確立するためのターゲットアクセスポイントから受信した複数のアドレスのうちの１つを利用するための例示的な方法６００が示されている。６０２において、ターゲットアクセスポイントから複数のアドレスを受信する。一例では、複数のアドレスは、ローカルネットワークアドレス、ワイヤレス事業者ネットワークアドレスなどを含むことができ、および／またはアドレスのタイプを示すラベルを含むことができる。６０４において、受信パラメータに少なくとも部分的に基づいて、ターゲットアクセスポイントと通信することに利用すべき複数のアドレスのうちの少なくとも１つを決定する。説明したように、一例では、受信パラメータは、ＣＳＧ識別子、またはエンタープライズまたは関係するエンタープライズネットワークに関連し得る他の指示に対応することができる。したがって、たとえば、ＣＳＧ識別子が、１つまたは複数のデバイスのアクセスを制限するために利用されるＣＳＧ識別子に一致する場合、複数のアドレスのローカルアドレスが決定され得、場合によっては、ワイヤレス事業者ネットワークアドレスが決定され得る。６０６において、複数のアドレスのうちの少なくとも１つを使用してターゲットアクセスポイントとのインターフェースを確立する。説明したように、インターフェースは、ターゲットアクセスポイントとのＸ２インターフェースまたは同様のバックホールインターフェースであり得る。
【００６５】
図７を参照すると、複数のネットワークアドレスをアクセスポイントに提供するための例示的な方法７００が示されている。７０２において、１つまたは複数のネットワーク構成要素によって割り当てられた複数のアドレスを受信する。たとえば、あるアドレスは、エンタープライズネットワークの構成要素によって割り当てられ得、別のアドレスは、エンタープライズネットワークなどを通してアクセスされるワイヤレス事業者ネットワークの構成要素によって割り当てられ得る。７０４において、ソースアクセスポイントからアドレスについての要求を受信する。説明したように、たとえば、要求は、ＡＮＲ、またはＯＡＭサーバへの要求などの一部としてインターフェースを確立するためのアドレスを取得することに関係することができる。７０６において、ソースアクセスポイントに複数のアドレスを提供する。
【００６６】
本明細書で説明する１つまたは複数の態様によれば、説明したように、ソースアクセスポイントに提供すべきアドレスを決定すること、ターゲットアクセスポイントとのインターフェースを確立することに利用すべきアドレスを決定することなどに関して推論が行われ得ることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００６７】
図８は、ワイヤレス通信を使用して１つまたは複数のデバイスと通信することを可能にするシステム８００の図である。システム８００は、実質的に任意の基地局（たとえば、フェムトセル、ピコセルなどの小さい基地局、モバイル基地局、．．．）、リレーなどとすることができる基地局８０２を備え、基地局８０２は、（たとえば、説明したように、複数のネットワーク技術とすることができる）複数の受信アンテナ８０６を介して１つまたは複数のモバイルデバイス８０４から（１つまたは複数の）信号を受信する受信機８１０と、（たとえば、説明したように、複数のネットワーク技術とすることができる）複数の送信アンテナ８０８を介して１つまたは複数のモバイルデバイス８０４に送信する送信機８３２とを有する。さらに、一例では、送信機８３２は、ワイヤードフロントリンク（wired front link）上でモバイルデバイス８０４に送信することができる。受信機８１０は、１つまたは複数の受信アンテナ８０６から情報を受信することができ、受信された情報を復調する復調器８１２と動作可能に結合される。さらに、一例では、受信機８１０は、ワイヤードバックホールリンク（wired backhaul link）から受信することができる。復調されたシンボルはプロセッサ８１４によって分析される。プロセッサ８１４は、受信機８１０によって受信された情報の分析および／または送信機８３２による送信のための情報の生成に専用のプロセッサ、基地局８０２の１つまたは複数の構成要素を制御するプロセッサ、および／または受信機８１０によって受信された情報の分析、送信機８３２による送信のための情報の生成、ならびに基地局８０２の１つまたは複数の構成要素の制御の両方を行うプロセッサとすることができる。
【００６８】
基地局８０２は、メモリ８１６をさらに備えることができ、メモリ８１６は、プロセッサ８１４に動作可能に結合され、送信すべきデータ、受信されたデータ、利用可能なチャネルに関係する情報、分析された信号および／または干渉強度に関係するデータ、割り当てられたチャネル、電力、レートなどに関係する情報、ならびに本明細書で説明する様々な態様のための他の適切な情報（たとえば、ＣＳＧメンバーシップ情報など）を記憶することができる。メモリ８１６は、本明細書で説明する態様（たとえば、ＣＳＧ内ハンドオーバを実行するなど）に関連するプロトコルおよび／またはアルゴリズムをさらに記憶することができる。
【００６９】
本明細書で説明する、たとえば、データストアとすることができるメモリ８１６は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ８１６は、これらおよび他の適切なタイプのメモリを、それらに限定されることなく、備えるものとする。
【００７０】
プロセッサ８１４は、さらに随意に、アドレス要求構成要素２１０と同様のものであり得るアドレス要求構成要素８１８、アドレス受信構成要素２１２と同様のものであり得るアドレス受信構成要素８２０、インターフェース確立構成要素２１４および／または２２２と同様のものであり得るインターフェース確立構成要素８２２、ネットワークアドレス構成要素２１６と同様のものであり得るネットワークアドレス構成要素８２４、アドレス要求受信構成要素２１８と同様のものであり得るアドレス要求受信構成要素８２６、および／またはアドレス提供構成要素２２０と同様のものであり得るアドレス提供構成要素８２８に結合される。
【００７１】
その上、たとえば、プロセッサ８１４は、変調器８３０を使用して送信されるべき信号を変調し、送信機８３２を使用して被変調信号を送信することができる。送信機８３２は、Ｔｘアンテナ８０８上で信号をモバイルデバイス８０４に送信することができる。さらに、プロセッサ８１４とは別個のものとして図示されているが、アドレス要求構成要素８１８、アドレス受信構成要素８２０、インターフェース確立構成要素８２２、ネットワークアドレス構成要素８２４、アドレス要求受信構成要素８２６、アドレス提供構成要素８２８、復調器８１２、および／または変調器８３０は、プロセッサ８１４または複数のプロセッサ（図示せず）の一部とすることができ、および／またはプロセッサ８１４が実行するためのメモリ８１６中の命令として記憶され得ることを諒解されたい。
【００７２】
図９を参照すると、それとのインターフェースを確立するためのアクセスポイント情報を要求するシステム９００が示されている。たとえば、システム９００は、少なくとも部分的に基地局、デバイスなどの内部に常駐することができる。システム９００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム９００は、連携して動作することができる電気構成要素の論理グルーピング９０２を含む。たとえば、論理グルーピング９０２は、ターゲットアクセスポイントが制限付きアクセスポイントであると決定することに少なくとも部分的に基づいて、識別子を含むターゲットアクセスポイントのアドレスについての要求を送信するための電気構成要素９０４を含むことができる。説明したように、識別子は、システム９００の識別子、システム９００によって広告されるＣＳＧ識別子などを含むことができる。さらに、論理グルーピング９０２は、ターゲットアクセスポイントのネットワークアドレスを受信するための電気構成要素９０６を備えることができる。たとえば、ネットワークアドレスは、説明したように、ターゲットアクセスポイントとのインターフェースを確定するために使用され得る。
【００７３】
たとえば、電気構成要素９０４は、上記で説明したように、アドレス要求構成要素２１０を含むことができる。さらに、たとえば、上記で説明したように、電気構成要素９０６は、一態様では、アドレス受信構成要素２１２を含むことができる。さらに、システム９００は、電気構成要素９０４および９０６に関連する機能を実行するための命令を保持するメモリ９０８を含むことができる。メモリ９０８の外部にあるものとして示されているが、電気構成要素９０４および９０６のうちの１つまたは複数は、メモリ９０８の内部に存在することができることを理解されたい。一例では、電気構成要素９０４および９０６は、少なくとも１つのプロセッサを備えることができるか、または、各電気構成要素９０４および９０６は、少なくとも１つのプロセッサの対応するモジュールとすることができる。さらに、追加または代替の例では、電気構成要素９０４および９０６は、コンピュータ可読媒体を備えるコンピュータプログラム製品とすることができ、各電気構成要素９０４および９０６は、対応するコードとすることができる。
【００７４】
図１０を参照すると、ソースアクセスポイントにアクセスポイントアドレス情報を提供するシステム１０００が示されている。たとえば、システム１０００は、少なくとも部分的に基地局、デバイスなどの内部に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気構成要素の論理グルーピング１００２を含む。たとえば、論理グルーピング１００２は、ソースアクセスポイントから、識別子を含むアドレスについての要求を受信するための電気構成要素１００４を含むことができる。説明したように、識別子は、ソースアクセスポイントの識別子、ソースアクセスポイントによって広告されるＣＳＧ識別子などを含むことができる。さらに、論理グルーピング１００２は、複数の割り当てられたアドレスのうちの少なくとも１つをソースアクセスポイントに送信するための電気構成要素１００６を備えることができる。たとえば、ネットワークアドレスは、説明したように、ソースアクセスポイントから受信した識別子に少なくとも部分的に基づいて決定され得る。
【００７５】
たとえば、電気構成要素１００４は、上記で説明したように、アドレス要求受信構成要素２１８を含むことができる。さらに、たとえば、上記で説明したように、電気構成要素１００６は、一態様では、アドレス提供構成要素２２０を含むことができる。さらに、システム１０００は、電気構成要素１００４および１００６に関連する機能を実行するための命令を保持するメモリ１００８を含むことができる。メモリ１００８の外部にあるものとして示されているが、電気構成要素１００４および１００６のうちの１つまたは複数は、メモリ１００８の内部に存在することができることを理解されたい。一例では、電気構成要素１００４および１００６は、少なくとも１つのプロセッサを備えることができるか、または、各電気構成要素１００４および１００６は、少なくとも１つのプロセッサの対応するモジュールとすることができる。さらに、追加または代替の例では、電気構成要素１００４および１００６は、コンピュータ可読媒体を備えるコンピュータプログラム製品とすることができ、各電気構成要素１００４および１００６は、対応するコードとすることができる。
【００７６】
図１１を参照すると、複数の受信したアドレスのうちの１つを使用してターゲットアクセスポイントとのインターフェースを確立するシステム１１００が示されている。たとえば、システム１１００は、少なくとも部分的に基地局、デバイスなどの内部に常駐することができる。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１１００は、連携して動作することができる電気構成要素の論理グルーピング１１０２を含む。たとえば、論理グルーピング１１０２は、ターゲットアクセスポイントから複数のアドレスを受信するための電気構成要素１１０４を含むことができる。説明したように、これは、ＡＮＲまたはターゲットアクセスポイントの存在を検出することに基づいてアクセスポイント情報を受信するための同様のプロシージャの一部であり得る。さらに、論理グルーピング１１０２は、受信した識別子に少なくとも部分的に基づいて、ターゲットアクセスポイントと通信することに利用すべき複数のアドレスのうちの少なくとも１つを決定することに少なくとも部分的に基づいてターゲットアクセスポイントとのインターフェースを確立するための電気構成要素１１０６を備えることができる。たとえば、利用すべきアドレスは、説明したように、アドレスとともに含まれる１つまたは複数のラベル受信したアドレス中でターゲットアクセスポイントから受信した識別子などに少なくとも部分的に基づいて決定され得る。
【００７７】
たとえば、電気構成要素１１０４は、上記で説明したように、アドレス受信構成要素２１２を含むことができる。さらに、たとえば、上記で説明したように、電気構成要素１１０６は、一態様では、インターフェース確立構成要素２１４を含むことができる。さらに、システム１１００は、電気構成要素１１０４および１１０６に関連する機能を実行するための命令を保持するメモリ１１０８を含むことができる。メモリ１１０８の外部にあるものとして示されているが、電気構成要素１１０４および１１０６のうちの１つまたは複数は、メモリ１１０８の内部に存在することができることを理解されたい。一例では、電気構成要素１１０４および１１０６は、少なくとも１つのプロセッサを備えることができるか、または、各電気構成要素１１０４および１１０６は、少なくとも１つのプロセッサの対応するモジュールとすることができる。さらに、追加または代替の例では、電気構成要素１１０４および１１０６は、コンピュータ可読媒体を備えるコンピュータプログラム製品とすることができ、各電気構成要素１１０４および１１０６は、対応するコードとすることができる。
【００７８】
図１２を参照すると、ソースアクセスポイントに複数のアドレスを提供するシステム１２００が示されている。たとえば、システム１２００は、少なくとも部分的に基地局、デバイスなどの内部に常駐することができる。システム１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１２００は、連携して動作することができる電気構成要素の論理グルーピング１２０２を含む。たとえば、論理グルーピング１２０２は、１つまたは複数のネットワーク構成要素によって割り当てられた複数のアドレスを受信するための電気構成要素１２０４を含むことができる。説明したように、アドレスは、エンタープライズネットワークから受信したローカルネットワークアドレス、ワイヤレス事業者ネットワークから受信したワイヤレス事業者ネットワークアドレスなどを含むことができる。さらに、論理グルーピング１２０２は、ソースアクセスポイントからアドレスについての要求を受信するための電気構成要素１２０６を備えることができる。たとえば、ネットワークアドレスは、説明したように、ターゲットアクセスポイントとのインターフェースを確定するために使用され得る。
【００７９】
一例では、要求は、ＡＮＲまたはシステム１２００の存在を検出することに続く同様のプロシージャの一部であり得る。さらに、論理グルーピング１２０２は、ソースアクセスポイントに複数のアドレスを提供するための電気構成要素１２０８を備えることができる。さらに、一例では、説明したように、アドレスタイプを識別するラベルがソースアクセスポイントに提供され得る。たとえば、電気構成要素１２０４は、上記で説明したように、ネットワークアドレス構成要素２１６を含むことができる。さらに、たとえば、上記で説明したように、電気構成要素１２０６は、一態様では、アドレス要求受信構成要素２１８を含むことができる。さらに、一例では、電気構成要素１２０８は、上記で説明したように、アドレス提供構成要素２２０を含むことができる。さらに、システム１２００は、電気構成要素１２０４、１２０６、および１２０８に関連する機能を実行するための命令を保持するメモリ１２１０を含むことができる。メモリ１２１０の外部にあるものとして示されているが、電気構成要素１２０４、１２０６、および１２０８のうちの１つまたは複数は、メモリ１２１０の内部に存在することができることを理解されたい。
【００８０】
一例では、電気構成要素１２０４、１２０６、および１２０８は、少なくとも１つのプロセッサを備えることができるか、または、各電気構成要素１２０４、１２０６、および１２０８は、少なくとも１つのプロセッサの対応するモジュールとすることができる。さらに、追加または代替の例では、電気構成要素１２０４、１２０６、および１２０８は、コンピュータ可読媒体を備えるコンピュータプログラム製品とすることができ、各電気構成要素１２０４、１２０６、および１２０８は、対応するコードとすることができる。
【００８１】
次に図１３を参照すると、本明細書で提示する様々な実施形態によるワイヤレス通信システム１３００が示されている。システム１３００は、複数のアンテナグループを含むことができる基地局１３０２を備える。たとえば、１つのアンテナグループはアンテナ１３０４および１３０６を含み、別のグループはアンテナ１３０８および１３１０を備え、さらなるグループはアンテナ１３１２および１３１４を含むことができる。アンテナグループごとに２つのアンテナが示されているが、グループごとにより多いまたはより少ないアンテナが利用され得る。基地局１３０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【００８２】
基地局１３０２は、モバイルデバイス１３１６およびモバイルデバイス１３２２など１つまたは複数のモバイルデバイスと通信することができるが、基地局１３０２は、モバイルデバイス１３１６および１３２２と同様の実質的にいかなる数のモバイルデバイスとも通信することができることを諒解されたい。モバイルデバイス１３１６および１３２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１３００を介して通信するための他の適切なデバイスとすることができる。図示のように、モバイルデバイス１３１６は、アンテナ１３１２および１３１４と通信しており、アンテナ１３１２および１３１４は、順方向リンク１３１８を介して情報をモバイルデバイス１３１６に送信し、逆方向リンク１３２０を介してモバイルデバイス１３１６から情報を受信する。さらに、モバイルデバイス１３２２は、アンテナ１３０４および１３０６と通信しており、アンテナ１３０４および１３０６は、順方向リンク１３２４を介して情報をモバイルデバイス１３２２に送信し、逆方向リンク１３２６を介してモバイルデバイス１３２２から情報を受信する。周波数分割複信（ＦＤＤ）システムでは、たとえば、順方向リンク１３１８は、逆方向リンク１３２０によって使用される周波数帯域とは異なる周波数帯域を利用し、順方向リンク１３２４は、逆方向リンク１３２６によって採用される周波数帯域とは異なる周波数帯域を採用することができる。さらに、時分割複信（ＴＤＤ）システムでは、順方向リンク１３１８および逆方向リンク１３２０は共通の周波数帯を利用し、順方向リンク１３２４および逆方向リンク１３２６は共通の周波数帯を利用することができる。
【００８３】
アンテナの各グループおよび／またはそれらが通信するように指定されたエリアは、基地局１３０２のセクタと呼ばれることがある。たとえば、アンテナグループは、基地局１３０２によってカバーされるエリアのセクタ中のモバイルデバイスに通信するように設計され得る。順方向リンク１３１８および１３２４を介した通信では、基地局１３０２の送信アンテナは、モバイルデバイス１３１６および１３２２についての順方向リンク１３１８および１３２４の信号対雑音比を向上させるためにビームフォーミングを利用することができる。さらに、基地局１３０２が、関連するカバレージ中に不規則に散在するモバイルデバイス１３１６および１３２２に送信するためにビームフォーミングを利用する間は、基地局が単一のアンテナを介してそれのすべてのモバイルデバイスに送信する場合と比較して、隣接セル中のモバイルデバイスは干渉を受けにくいことがある。さらに、モバイルデバイス１３１６および１３２２は、図示のようにピアツーピアまたはアドホック技術を使用して互いに直接通信することができる。一例によれば、システム１３００は多入力多出力（ＭＩＭＯ）通信システムとすることができる。
【００８４】
図１４に、例示的なワイヤレス通信システム１４００を示す。ワイヤレス通信システム１４００には、簡潔のために、１つの基地局１４１０と、１つのモバイルデバイス１４５０とを示してある。ただし、システム１４００は、２つ以上の基地局および／または２つ以上のモバイルデバイスを含むことができ、追加の基地局および／またはモバイルデバイスは、以下で説明する例示的な基地局１４１０およびモバイルデバイス１４５０と実質的に同様または異なるものとすることができることを諒解されたい。さらに、基地局１４１０および／またはモバイルデバイス１４５０は、それらの間のワイヤレス通信を可能にするために、本明細書で説明するシステム（図１〜図３および図８〜図１３）および／または方法（図４〜図７）を採用することができることを諒解されたい。たとえば、本明細書で説明するシステムおよび／または方法の構成要素または機能は、以下で説明するメモリ１４３２および／または１４７２あるいはプロセッサ１４３０および／または１４７０の一部とすることができ、ならびに／あるいは開示する機能を実行するためにプロセッサ１４３０および／または１４７０によって実行され得る。
【００８５】
基地局１４１０において、いくつかのデータストリームのトラフィックデータがデータソース１４１２から送信（ＴＸ）データプロセッサ１４１４に与えられる。一例によれば、各データストリームはそれぞれのアンテナを介して送信され得る。ＴＸデータプロセッサ１４１４は、トラフィックデータストリーム用に選択された特定のコーディング方式に基づいてそのデータストリームをフォーマットし、符号化し、インタリーブして、符号化されたデータを与える。
【００８６】
各データストリームの符号化されたデータは、直交周波数分割多重化（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される、知られているデータパターンであり、チャネル応答を推定するためにモバイルデバイス１４５０において使用され得る。各データストリームの多重化されたパイロットおよび符号化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ１４３０によって実行されるかまたは与えられる命令によって決定され得る。
【００８７】
データストリームの変調シンボルはＴＸ  ＭＩＭＯプロセッサ１４２０に与えられ得、ＴＸ  ＭＩＭＯプロセッサ１４２０は（たとえば、ＯＦＤＭ用に）変調シンボルをさらに処理することができる。次いで、ＴＸ  ＭＩＭＯプロセッサ１４２０はＮT個の変調シンボルストリームをＮT個の送信機（ＴＭＴＲ）１４２２ａ〜１４２２ｔに与える。様々な実施形態では、ＴＸ  ＭＩＭＯプロセッサ１４２０は、データストリームのシンボルと、シンボルの送信元であるアンテナとにビームフォーミング重みを適用する。
【００８８】
各送信機１４２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機１４２２ａ〜１４２２ｔからのＮT個の変調信号が、それぞれＮT個のアンテナ１４２４ａ〜１４２４ｔから送信される。
【００８９】
モバイルデバイス１４５０では、送信された変調信号はＮR個のアンテナ１４５２ａ〜１４５２ｒによって受信され、各アンテナ１４５２からの受信信号は、それぞれの受信機（ＲＣＶＲ）１４５４ａ〜１４５４ｒに与えられる。各受信機１４５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００９０】
ＲＸデータプロセッサ１４６０は、特定の受信機処理技法に基づいてＮR個の受信機１４５４からＮR個の受信シンボルストリームを受信し、処理して、ＮT個の「検出」シンボルストリームを与えることができる。ＲＸデータプロセッサ１４６０は、各検出シンボルストリームを復調し、デインタリーブし、復号して、データストリームのトラフィックデータを復元することができる。ＲＸデータプロセッサ１４６０による処理は、基地局１４１０においてＴＸ  ＭＩＭＯプロセッサ１４２０およびＴＸデータプロセッサ１４１４によって実行される処理を補足するものである。
【００９１】
逆方向リンクメッセージは、通信リンクおよび／または受信データストリームに関する様々なタイプの情報を備えることができる。逆方向リンクメッセージは、データソース１４３６からいくつかのデータストリームのトラフィックデータをも受信するＴＸデータプロセッサ１４３８によって処理され、変調器１４８０によって変調され、送信機１４５４ａ〜１４５４ｒによって調整され、基地局１４１０に戻される。
【００９２】
基地局１４１０において、モバイルデバイス１４５０からの変調信号は、アンテナ１４２４によって受信され、受信機１４２２によって調整され、復調器１４４０によって復調され、ＲＸデータプロセッサ１４４２によって処理されて、モバイルデバイス１４５０によって送信された逆方向リンクメッセージが抽出される。さらに、プロセッサ１４３０は、抽出されたメッセージを処理して、ビームフォーミング重みを決定するためにどのプリコーディング行列を使用すべきかを決定することができる。
【００９３】
プロセッサ１４３０および１４７０は、それぞれ基地局１４１０およびモバイルデバイス１４５０における動作を指示（たとえば、制御、調整、管理など）することができる。それぞれのプロセッサ１４３０および１４７０は、プログラムコードおよびデータを記憶するメモリ１４３２および１４７２に関連し得る。プロセッサ１４３０および１４７０はまた、それぞれ、アップリンクとダウンリンクとに関して周波数推定値とインパルス応答推定値とを導出するために計算を実行することができる。
【００９４】
図１５に、本明細書の教示が実装され得る、何人かのユーザをサポートするように構成されたワイヤレス通信システム１５００を示す。システム１５００は、たとえば、マクロセル１５０２Ａ〜１５０２Ｇなど、複数のセル１５０２の通信を可能にし、各セルは、対応するアクセスノード１５０４（たとえば、アクセスノード１５０４Ａ〜１５０４Ｇ）によってサービスされる。図１５に示すように、アクセス端末１５０６（たとえば、アクセス端末１５０６Ａ〜１５０６Ｌ）は、時間とともにシステム全体にわたって様々なロケーションに分散され得る。各アクセス端末１５０６は、たとえば、アクセス端末１５０６がアクティブかどうか、およびアクセス端末１５０６がソフトハンドオフ中かどうかに応じて、所与の瞬間に順方向リンク（ＦＬ）および／または逆方向リンク（ＲＬ）上で１つまたは複数のアクセスノード１５０４と通信することができる。ワイヤレス通信システム１５００は広い地理的領域にわたってサービスを提供することができる。
【００９５】
図１６に、１つまたは複数のフェムトノードがネットワーク環境内に展開された例示的な通信システム１６００を示す。特に、システム１６００は、比較的小規模のネットワーク環境中に（たとえば、１つまたは複数のユーザ住居１６３０中に）設置された複数のフェムトノード１６１０Ａおよび１６１０Ｂ（たとえば、フェムトセルノードまたはＨ（ｅ）ＮＢ）を含む。各フェムトノード１６１０は、デジタル加入者回線（ＤＳＬ）ルータ、ケーブルモデム、ワイヤレスリンク、または他の接続手段（図示せず）を介して、ワイドエリアネットワーク１６４０（たとえば、インターネット）とモバイル事業者コアネットワーク１６５０とに結合され得る。以下で説明するように、各フェムトノード１６１０は、関連するアクセス端末１６２０（たとえば、アクセス端末１６２０Ａ）、および、随意に、外来アクセス端末１６２０（たとえば、アクセス端末１６２０Ｂ）をサービスするように構成され得る。言い換えれば、フェムトノード１６１０へのアクセスは、所与のアクセス端末１６２０が、指定された（１つまたは複数の）（たとえば、ホーム）フェムトノード１６１０のセットによってサービスされ得るが、指定されていないフェムトノード１６１０（たとえば、ネイバーのフェムトノード）によってはサービスされ得ないように制限され得る。
【００９６】
図１７に、いくつかのトラッキングエリア１７０２（またはルーティングエリアまたはロケーションエリア）が画定されたカバレージマップ１７００の例を示し、そのエリアの各々はいくつかのマクロカバレージエリア１７０４を含む。ここで、トラッキングエリア１７０２Ａ、１７０２Ｂ、および１７０２Ｃに関連するカバレージのエリアは太線によって示され、マクロカバレージエリア１７０４は六角形によって表される。トラッキングエリア１７０２はフェムトカバレージエリア１７０６をも含む。この例では、フェムトカバレージエリア１７０６（たとえば、フェムトカバレージエリア１７０６Ｃ）の各々は、マクロカバレージエリア１７０４（たとえば、マクロカバレージエリア１７０４Ｂ）内に示される。ただし、フェムトカバレージエリア１７０６は、完全にマクロカバレージエリア１７０４内にあるとは限らないことを諒解されたい。実際には、多数のフェムトカバレージエリア１７０６が所与のトラッキングエリア１７０２またはマクロカバレージエリア１７０４とともに画定され得る。また、１つまたは複数のピコカバレージエリア（図示せず）が所与のトラッキングエリア１７０２またはマクロカバレージエリア１７０４内に画定され得る。
【００９７】
再び図１６を参照すると、フェムトノード１６１０の所有者は、たとえば、３Ｇモバイルサービスなど、モバイル事業者コアネットワーク１６５０を介して提供されるモバイルサービスに加入することができる。さらに、アクセス端末１６２０は、マクロ環境と、より小規模の（たとえば、宅内）ネットワーク環境の両方で動作することが可能であり得る。したがって、たとえば、アクセス端末１６２０の現在ロケーションに応じて、アクセス端末１６２０は、アクセスノード１６６０によって、または、フェムトノード１６１０のセットのうちのいずれか１つ（たとえば、対応するユーザ住居１６３０内に常駐するフェムトノード１６１０Ａおよび１６１０Ｂ）によってサービスされ得る。たとえば、加入者は、自宅の外にいるときは標準のマクロセルアクセスノード（たとえば、ノード１６６０）によってサービスされ、自宅にいるときはフェムトノード（たとえば、ノード１６１０Ａ）によってサービスされる。ここで、フェムトノード１６１０は既存のアクセス端末１６２０と後方互換性があり得ることを諒解されたい。
【００９８】
フェムトノード１６１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１６６０）によって使用される１つまたは複数の周波数と重複することがある。いくつかの態様では、アクセス端末１６２０は、そのような接続性が可能であるときはいつでも、好ましいフェムトノード（たとえば、アクセス端末１６２０のホームフェムトノード）に接続するように構成され得る。たとえば、アクセス端末１６２０は、ユーザの住居１６３０内にあるときはいつでも、ホームフェムトノード１６１０と通信することができる。
【００９９】
いくつかの態様では、アクセス端末１６２０がモバイル事業者コアネットワーク１６５０内で動作しているが、（たとえば、好適ローミングリスト中で定義された）それの最も好適なネットワーク上に常駐していない場合、アクセス端末１６２０は、ベターシステムリセレクション（ＢＳＲ：Better System Reselection）を使用して、最も好適なネットワーク（たとえば、フェムトノード１６１０）を探索し続けることができ、ベターシステムリセレクションでは、より良好なシステムが現在利用可能であるかどうかを決定するために利用可能なシステムの周期的スキャニングを行い、その後、そのような好適なシステムに関連付けようとすることができる。（たとえば、好適ローミングリスト中の）収集テーブルエントリを使用して、一例では、アクセス端末１６２０は、特定の帯域およびチャネルについて探索を制限することができる。たとえば、最も好適なシステムの探索が周期的に繰り返され得る。フェムトノード１６１０など好適なフェムトノードが発見されると、アクセス端末１６２０は、それのカバレージエリア内にキャンプするためのフェムトノード１６１０を選択する。
【０１００】
フェムトノードは、いくつかの態様では、制限され得る。たとえば、所与のフェムトノードが、いくつかのサービスをいくつかのアクセス端末のみに提供し得る。いわゆる制限（または限定）された関連付けを用いた展開では、所与のアクセス端末が、マクロセルモバイルネットワークと、フェムトノードの定義されたセット（たとえば、対応するユーザ住居１６３０内に常駐するフェムトノード１６１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１０１】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１０２】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。外来フェムトノードは、おそらく非常事態（たとえば、９１１番）を除いて、アクセス端末がアクセスまたはその上で動作することを許可されないフェムトノードを指すことがある。
【０１０３】
制限フェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。外来アクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１０４】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１０５】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【０１０６】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末内に個別構成要素として常駐し得る。
【０１０７】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１０８】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段に記載されていない限り、任意の他の態様および／または実施形態の全部または一部とともに利用され得る。
【図１】
2013527700.tif 000003
【図２】
2013527700.tif 000004
【図３】
2013527700.tif 000005
【図４】
2013527700.tif 000006
【図５】
2013527700.tif 000007
【図６】
2013527700.tif 000008
【図７】
2013527700.tif 000009
【図８】
2013527700.tif 000010
【図９】
2013527700.tif 000011
【図１０】
2013527700.tif 000012
【図１１】
2013527700.tif 000013
【図１２】
2013527700.tif 000014
【図１３】
2013527700.tif 000015
【図１４】
2013527700.tif 000016
【図１５】
2013527700.tif 000017
【図１６】
2013527700.tif 000018
【図１７】
2013527700.tif 000019
【国際調査報告】
2013527700.tif 000020
2013527700.tif 000021
2013527700.tif 000022